(57)【要約】【課題】  例えばスロットマシン等の遊技機に関し、設定示唆に関わる演出頻度を調整することができる。【解決手段】  演出実行手段(340)には、ゲーム数カウント手段(350)、払出数量カウント手段(360)、ゲーム数カウント手段(350)によりカウントされるゲーム数と、払出数量カウント手段(360)によりカウントされた払出数量に基づいて決定される基準値とが関連付けて記憶された演出頻度調整テーブル(370)、演出頻度調整テーブル(370)を用いて、ゲーム数カウント手段(350)によりカウントされるゲーム数に対応する基準値を読み出し、読み出した基準値に、払出数量カウント手段(360)によりカウントされた払出数量に基づいて決定される実数値が達しているか否かを判断し、その判断結果により演出装置(80)を用いて設定示唆に関わる演出頻度を調整する演出頻度調整手段(380)を備える。【選択図】    図３
2019118466.tif 000002
【特許請求の範囲】
【請求項１】
複数の図柄が個別に表示された複数の回転リールを個別に回転可能なリールユニットと、
遊技者の操作により前記複数の回転リールの回転を開始させるためのスタートスイッチと、
前記複数の回転リールの各々に対応して設けられ、遊技者の操作により回転中の前記複数の回転リールを個別に停止可能な複数のストップスイッチと、
前記複数のストップスイッチによる前記複数の回転リールの停止態様に応じ、遊技者に遊技媒体を払い出す遊技媒体払出装置と、
前記リールユニット、前記スタートスイッチ、前記複数のストップスイッチ、前記遊技媒体払出装置にそれぞれ接続され、遊技の進行を制御する遊技制御手段と、
前記遊技制御手段による遊技状態に応じて演出を実行可能な演出装置と、
前記遊技制御手段及び前記演出装置に接続され、前記遊技制御手段による遊技の進行に連動して前記演出装置を制御する演出制御手段と、
を備える遊技機において、
前記遊技制御手段には、
複数種類の役のうちから当選役を決定する役抽選手段と、
前記役抽選手段により決定された当選役、遊技の開始・終了及び前記遊技媒体払出装置により払い出された前記遊技媒体の払出数量に関する遊技情報を、前記演出制御手段に送信する送信制御手段と、
を備え、
前記演出制御手段には、
前記送信制御手段から送信された前記遊技情報にもとづいて、前記演出装置を用いて遊技者に演出を実行する演出実行手段を備え、
前記演出実行手段には、
予め設定されたゲーム数より構成される所定ゲーム区間内におけるゲーム数をカウントするゲーム数カウント手段と、
前記所定ゲーム区間内における前記払出数量をカウントする払出数量カウント手段と、
前記ゲーム数カウント手段によりカウントされるゲーム数と、前記払出数量カウント手段によりカウントされた前記払出数量に基づいて決定される基準値とが関連付けて記憶された演出頻度調整テーブルと、
前記演出頻度調整テーブルを用いて、前記ゲーム数カウント手段によりカウントされるゲーム数に対応する前記基準値を読み出し、読み出した前記基準値に、前記払出数量カウント手段によりカウントされた前記払出数量に基づいて決定される実数値が達しているか否かを判断し、その判断結果により前記演出装置を用いて設定示唆に関わる演出頻度を調整する演出頻度調整手段と、
備えていることを特徴とする遊技機。
【請求項２】
前記遊技制御手段には、
遊技者の有利度合いに応じて段階的に設けられた複数段階の設定値のうちから、一つの設定値を設定可能な設定値設定手段を備え、
前記送信制御手段は、
前記設定値設定手段により設定された設定値を前記遊技情報に含めて前記演出制御手段に送信し、
前記演出頻度調整テーブルに記憶された前記基準値は、
前記設定値設定手段により設定された前記設定値に基づいて変化する、
ことを特徴とする請求項１に記載の遊技機。
【請求項３】
前記設定値に基づいて変化する前記基準値は、
前記所定ゲーム区間内において、予め設定された所定ゲーム数に限られている、
ことを特徴とする請求項２に記載の遊技機。
【請求項４】
前記演出頻度調整テーブルは、
前記役抽選手段により決定された当選役に応じて、設定値を示唆するか否かの確率を変化させている、
ことを特徴とする請求項２又は請求項３に記載の遊技機。
【請求項５】
前記演出頻度調整テーブルには、
前記演出頻度調整手段による判定結果により、前記実数値が前記基準値に達していると判定されている場合に用いられ、設定値を示唆する頻度が設定された第１テーブルと、
前記演出頻度調整手段による判定結果により、前記実数値が前記基準値に達していないと判定されている場合に用いられ、前記第１テーブルと比較し、設定値を示唆する頻度が低く設定された第２テーブルと、
を含んでいる、
ことを特徴とする請求項１〜４のいずれか１項に記載の遊技機。
【請求項６】
前記所定ゲーム数は、
前記所定ゲーム区間内に複数個、設定されている、
ことを特徴とする請求項３に記載の遊技機。
【請求項７】
前記複数個の所定ゲーム数には、
前記複数段階の設定値の段階を示唆する場合と、
前記複数段階の設定値の高低を示唆する場合と、
を含んでいる、
ことを特徴とする請求項５又は請求項６に記載の遊技機。
【請求項８】
前記払出数量カウント手段によりカウントされた前記払出数量に基づいて決定される基準値は、
遊技機内に投入された遊技媒体の投入数量と、
前記遊技媒体払出装置により払い出された前記払出数量との差数である、
ことを特徴とする請求項１〜７のいずれか１項に記載の遊技機。
【発明の詳細な説明】
【技術分野】
【０００１】
この発明は、例えばスロットマシン等の遊技機に関し、設定示唆に関わる演出頻度を調整することができるようにしたものである。
【背景技術】
【０００２】
従来、純増減数記憶手段に記憶されている遊技用価値の純増減数が、第１の基準値と該第１の基準値に所定の貸出遊技用価値単位数を加算した第２の基準値との間に定められた閾値を上回ったときに、該閾値を上回っていないときよりも高い頻度で前記演出を実行するようにした「スロットマシン」が知られている（特許文献１の段落番号「０００８」参照）。
【０００３】
また、従来、設定提示抽選対象が内部当選した場合において、設定値記憶手段に記憶された設定値に応じて（設定値が４〜６である場合に）、特定の操作態様に関する報知を実行するようにした遊技機が知られている（特許文献２の段落番号「００１０」参照）。
【先行技術文献】
【特許文献】
【０００４】
【特許文献１】特許第5273964号公報
【特許文献２】特許第6040495号公報
【発明の概要】
【発明が解決しようとする課題】
【０００５】
しかし、従来、演出頻度の調整に関わる技術（特許文献１）、及び設定示唆に関わる技術（特許文献２）は、単独ではそれぞれ存在していたが、適切な頻度で演出を見せながら、ある特定遊技数においては設定示唆を行うことができるようにしていたものは存在していなかった。
【０００６】
例えば、いわゆる打ち止めによるリミッタ作動後の遊技において、「ハズレ」続けると、「設定が低いのではないか」いう不信感を遊技者に抱かれ易い。このとき、適切な頻度で、設定示唆に関わる演出を見せることで、遊技者の不信感を軽減でき、遊技の単調さを解消できるのではないかと考えた。なお、リミッタ作動後の遊技に限らず、通常遊技や、ボーナス終了後、或いは設定変更後においても同様の問題点があった。
そこで、各請求項にそれぞれ記載された各発明は、上記した従来の技術の有する問題点に鑑みてなされたものであり、その目的とするところは、次の点にある。
【０００７】
（請求項１）
請求項１に記載の発明は、次の点を目的とする。
すなわち、請求項１に記載の発明は、予め設定されたゲーム数より構成される所定ゲーム区間を設定し、所定ゲーム区間を周期的に発生させ、各所定ゲーム区間のゲーム数と、遊技媒体の払出数量とを関連付けた基準値を設定し、ゲーム数毎の払出数量に基づいて決定される実数値と比較することで、設定示唆に関わる演出頻度を調整することができるようにしたものである。
【０００８】
これに加え、請求項１に記載の発明は、ゲーム数毎の払出数量に基づいて決定される実数値を用いることで、ゲーム数毎の払出数量を遊技者がコントロール、例えば当選役を敢えて回避するような操作を行うことで、払出数量の増加を抑える ことの引き換えに、設定示唆に関わる演出頻度を向上しようとする戦略的な遊技の要素を取り込むことができるようにしたものである。
【０００９】
（請求項２）
請求項２に記載の発明は、上記した請求項１に記載の発明の目的に加え、次の点を目的とする。
すなわち、請求項２に記載の発明は、遊技制御手段側の設定値設定手段により設定された設定値を遊技情報に含めて演出制御手段に送信することで、演出制御手段側において設定示唆に関わる演出頻度を調整することができるようにしたものである。
【００１０】
（請求項３）
請求項３に記載の発明は、上記した請求項２に記載の発明の目的に加え、次の点を目的とする。
すなわち、請求項３に記載の発明は、所定ゲーム区間内において、予め設定された所定ゲーム数に限ることで、当該所定ゲーム数の直前では、払出数量をコントロールし、設定示唆に関わる演出頻度の向上を図ることができるばかりでなく、所定ゲーム数まで間がある場合や、所定ゲーム数を通過したゲームにおいては、遊技に集中することができるようにしたものである。
【００１１】
（請求項４）
請求項４に記載の発明は、上記した請求項２又は請求項３に記載の発明の目的に加え、次の点を目的とする。
すなわち、請求項４に記載の発明は、役抽選手段により決定された当選役に応じて、設定値を示唆するか否かの確率を変化させることができるようにしたものである。
【００１２】
（請求項５）
請求項５に記載の発明は、上記した請求項１〜４のいずれか１項に記載の発明の目的に加え、次の点を目的とする。
すなわち、請求項５に記載の発明は、演出頻度調整テーブルに少なくとも２種類のテーブルを持たせることで、設定示唆に関わる演出頻度を一層、複雑に調整することができるようにしたものである。
【００１３】
（請求項６）
請求項６に記載の発明は、上記した請求項３に記載の発明の目的に加え、次の点を目的とする。
すなわち、請求項６に記載の発明は、所定ゲーム数を複数個、設定することで、設定示唆に関わる演出頻度を向上することができるばかりなく、設定示唆の信頼度を向上することができるようにしたものである。
例えば、１回、設定示唆が実行された場合と、複数回、設定示唆が実行された場合とを比較すると、遊技者は、複数回、設定示唆が実行された場合の方の方が、信頼性がより高いことを理解できる。
【００１４】
（請求項７）
請求項７に記載の発明は、上記した請求項１〜６のいずれか１項に記載の発明の目的に加え、次の点を目的とする。
すなわち、請求項７に記載の発明は、複数個の所定ゲーム数内に、複数段階の設定値の段階を示唆する場合と、複数段階の設定値の高低を示唆する場合とを含ませることで、設定示唆に関し、遊技者に示唆する情報量を増加することができるようにしたものである。
【００１５】
例えば、段階を示唆する場合としては、設定５又は設定６とし、高低を示唆する場合としては、設定６とし、段階の示唆の結果、遊技者は、設定５又は設定６にある可能性があることを理解できる。続いて高低の示唆の結果があれば、遊技者は、高低の示唆の単独の場合と比較し、設定６の可能性がより高いことが理解できる。
【００１６】
（請求項８）
請求項８に記載の発明は、上記した請求項１〜７のいずれか１項に記載の発明の目的に加え、次の点を目的とする。
すなわち、請求項８に記載の発明は、投入数量と、払出数量との差数に基づいて、設定示唆に関わる演出頻度を調整することができるようにしたものである。
【課題を解決するための手段】
【００１７】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
【００１８】
（請求項１）
請求項１に記載の発明は、次の点を特徴とする。
第１に、遊技機(10)は、例えば図１及び図３に示すように、次の構成を備える。
（１）リールユニット(52)
リールユニット(52)は、複数の図柄が個別に表示された複数（例えば３個）の回転リール(53)を個別に回転可能なものである。
なお、「複数」として、「３個」を例示したが、これに限定されず、例えば、２個或いは４個以上でもよい。
（２）スタートスイッチ(34)
スタートスイッチ(34)は、遊技者の操作により複数の回転リール(53)の回転を開始させるためのものである。
【００１９】
（３）ストップスイッチ(35)
ストップスイッチ(35)は、複数の回転リール(53)の各々に対応して設けられ、遊技者の操作により回転中の複数の回転リール(53)を個別に停止可能なものであり、複数（例えば３個）ある。
なお、「複数」として、「３個」を例示したが、これに限定されず、例えば、２個或いは４個以上でもよい。
【００２０】
（４）遊技媒体払出装置（例えばホッパーユニット70）
遊技媒体払出装置（例えばホッパーユニット70）は、複数のストップスイッチ(35)による複数の回転リール(53)の停止態様に応じ、遊技者に遊技媒体を払い出すものである。
【００２１】
（５）遊技制御手段(100)
遊技制御手段(100)は、リールユニット(52)、スタートスイッチ(34)、複数のストップスイッチ(35)、遊技媒体払出装置（例えばホッパーユニット70）にそれぞれ接続され、遊技の進行を制御するものである。
ここで、遊技制御手段(100)としては、例えば主としてメイン制御手段(200)が相当する。
【００２２】
（６）演出装置(80)
演出装置(80)は、遊技制御手段(100)による遊技状態に応じて演出を実行可能なものである。
ここで、演出装置(80)としては、例えばスピーカ(24,42)が相当するが、これに限定されず、各種のランプ21〜23や、図示しないが、液晶等を用いた表示装置や、可動役物等でもよい。
【００２３】
（７）演出制御手段（例えばサブ制御手段300）
演出制御手段（例えばサブ制御手段300）は、遊技制御手段(100)及び演出装置(80)に接続され、遊技制御手段(100)による遊技の進行に連動して演出装置(80)を制御するものである。
【００２４】
第２に、遊技制御手段(100)には、例えば図３に示すように、次の構成を備える。
（８）役抽選手段(220)
役抽選手段(220)は、複数種類の役のうちから当選役を決定するものである。
（９）送信制御手段(290)
送信制御手段(290)は、役抽選手段(220)により決定された当選役、遊技の開始・終了及び遊技媒体払出装置（例えばホッパーユニット70）により払い出された遊技媒体の払出数量に関する遊技情報を、演出制御手段（例えばサブ制御手段300）に送信するものである。
【００２５】
第３に、演出制御手段（例えばサブ制御手段300）には、例えば図３に示すように、次の構成を備える。
（１０）演出実行手段(340)
演出実行手段(340)は、送信制御手段(290)から送信された遊技情報にもとづいて、演出装置(80)を用いて遊技者に演出を実行するものである。
【００２６】
第４に、演出実行手段(340)には、例えば図３に示すように、次の構成を備える。
（１１）ゲーム数カウント手段(350)
ゲーム数カウント手段(350)は、予め設定されたゲーム数より構成される所定ゲーム区間内におけるゲーム数をカウントするものである。
ここで、「所定ゲーム区間」としては、「５０Ｇ」を例示するが、これに限定されない。
（１２）払出数量カウント手段(360)
払出数量カウント手段(360)は、所定ゲーム区間内における払出数量をカウントするものである。
【００２７】
（１３）演出頻度調整テーブル(370)
演出頻度調整テーブル(370)は、例えば図１５に示すように、ゲーム数カウント手段(350)によりカウントされるゲーム数と、払出数量カウント手段(360)によりカウントされた払出数量に基づいて決定される基準値とが関連付けて記憶されたものである。
ここで、「基準値」としては、例えば図１６に示す「払出枚数」を例示するが、これに限定されず、図示しないが、例えば「差枚数」、或いは「吸い込み枚数」でもよい。
【００２８】
（１４）演出頻度調整手段(380)
演出頻度調整手段(380)は、演出頻度調整テーブル(370)を用いて、ゲーム数カウント手段(350)によりカウントされるゲーム数に対応する基準値を読み出し、読み出した基準値に、払出数量カウント手段(360)によりカウントされた払出数量に基づいて決定される実数値が達しているか否かを判断し、その判断結果により演出装置(80)を用いて設定示唆に関わる演出頻度を調整する。
【００２９】
（請求項２）
請求項２に記載の発明は、上記した請求項１に記載の発明の特徴点に加え、次の点を特徴とする。
第１に、遊技制御手段(100)には、例えば図３に示すように、次の構成を備える。
（１）設定値設定手段(210)
設定値設定手段(210)は、遊技者の有利度合いに応じて段階的に設けられた複数段階の設定値のうちから、一つの設定値を設定可能なものである。
ここで、「複数段階の設定値」としては、例えば図１６に示すように、設定値１〜６の６段階が相当し、実際には設定値１、設定値２、設定値５、設定値６の４つに分かれている。なお、「複数段階の設定値」としては、６段階を例示したが、これに限定されず、２〜５段階、或いは７段階以上としてもよい。
【００３０】
第２に、送信制御手段(290)は、設定値設定手段(210)により設定された設定値を遊技情報に含めて演出制御手段（例えばサブ制御手段300）に送信する。
第３に、演出頻度調整テーブル(370)に記憶された基準値は、例えば図１６に示すように、設定値設定手段(210)により設定された設定値に基づいて変化する。
【００３１】
（請求項３）
請求項３に記載の発明は、上記した請求項２に記載の発明の特徴点に加え、次の点を特徴とする。
すなわち、設定値に基づいて変化する基準値は、例えば図１６に示すように、所定ゲーム区間内において、予め設定された所定ゲーム数に限られている。
【００３２】
ここで、「所定ゲーム数」としては、例えば図１６に示す「２２〜２４」Ｇ、或いは「４２〜４７」Ｇが相当する。
なお、「所定ゲーム数」としては、「２２〜２４」Ｇ、或いは「４２〜４７」Ｇを例示したが、これに限定されず、１つのゲーム数でもよいし、或いは１個置きや複数個置きに設定してもよい。
【００３３】
（請求項４）
請求項４に記載の発明は、上記した請求項２又は請求項３に記載の発明の特徴点に加え、次の点を特徴とする。
すなわち、演出頻度調整テーブル(370)は、例えば図１７に示すように、役抽選手段(220)により決定された当選役に応じて、設定値を示唆するか否かの確率を変化させている。
【００３４】
（請求項５）
請求項５に記載の発明は、上記した請求項１〜４のいずれか１項に記載の発明の特徴点に加え、次の点を特徴とする。
演出頻度調整テーブル(370)には、例えば図３及び図１７に示すように、次の構成を含む。
（１）第１テーブル(371)
第１テーブル(371)は、例えば図１７に示すように、演出頻度調整手段(380)による判定結果により、実数値が基準値に達していると判定されている場合に用いられ、設定値を示唆する頻度が設定されたものである。
ここで、「実数値が基準値に達している」とは、実数値が例えば基準値「未満」の場合が相当する。
【００３５】
（２）第２テーブル(372)
第２テーブル(372)は、例えば図１７に示すように、演出頻度調整手段(380)による判定結果により、実数値が基準値に達していないと判定されている場合に用いられ、第１テーブル(371)と比較し、設定値を示唆する頻度が低く設定されたものである。
ここで、「実数値が基準値に達していない」とは、実数値が例えば基準値「以上」の場合が相当する。
【００３６】
（請求項６）
請求項６に記載の発明は、上記した請求項３に記載の発明の特徴点に加え、次の点を特徴とする。
すなわち、所定ゲーム数は、例えば図１６に示すように、所定ゲーム区間内に複数個、設定されている。
ここで、「複数個」としては、「２２〜２４」Ｇの３連続、或いは４２Ｇ〜４７Ｇの６連続を例示したが、これに限定されず、非連続に設けてもよい。
【００３７】
（請求項７）
請求項７に記載の発明は、上記した請求項５又は請求項６に記載の発明の特徴点に加え、次の点を特徴とする。
すなわち、複数個の所定ゲーム数には、例えば図１６に示すように、複数段階の設定値の段階を示唆する場合と、複数段階の設定値の高低を示唆する場合と、を含んでいる。
【００３８】
ここで、「複数段階の設定値の段階を示唆する場合」としては、例えば図１６に示すように、２２Ｇ、或いは４２Ｇ〜４４Ｇが相当し、「設定５」又は「設定６」であることを示唆している。
ここで、「複数段階の設定値の高低を示唆する場合」としては、例えば図１６に示すように、２３Ｇ、２４Ｇ、或いは４５Ｇ〜４７Ｇが相当し、「設定６」であることを示唆している。
【００３９】
（請求項８）
請求項８に記載の発明は、上記した請求項１〜７のいずれか１項に記載の発明の特徴点に加え、次の点を特徴とする。
すなわち、払出数量カウント手段(360)によりカウントされた払出数量に基づいて決定される基準値は、遊技機(10)内に投入された遊技媒体の投入数量と、遊技媒体払出装置（例えばホッパーユニット70）により払い出された払出数量との差数である。
【発明の効果】
【００４０】
本発明は、以上のように構成されているので、以下に記載されるような効果を奏する。
（請求項１）
請求項１に記載の発明によれば、次のような効果を奏する。
すなわち、請求項１に記載の発明によれば、
予め設定されたゲーム数より構成される所定ゲーム区間を設定し、所定ゲーム区間を周期的に発生させ、各所定ゲーム区間のゲーム数と、遊技媒体の払出数量とを関連付けた基準値を設定し、ゲーム数毎の払出数量に基づいて決定される実数値と比較することで、設定示唆に関わる演出頻度を調整することができる。
【００４１】
これに加え、請求項１に記載の発明によれば、ゲーム数毎の払出数量に基づいて決定される実数値を用いることで、ゲーム数毎の払出数量を遊技者がコントロール、例えば当選役を敢えて回避するような操作を行うことで、払出数量の増加を抑える ことの引き換えに、設定示唆に関わる演出頻度を向上しようとする戦略的な遊技の要素を取り込むことができる。
【００４２】
（請求項２）
請求項２に記載の発明によれば、上記した請求項１に記載の発明の効果に加え、次のような効果を奏する。
すなわち、請求項２に記載の発明によれば、遊技制御手段側の設定値設定手段により設定された設定値を遊技情報に含めて演出制御手段に送信することで、演出制御手段側において設定示唆に関わる演出頻度を調整することができる。
【００４３】
（請求項３）
請求項３に記載の発明によれば、上記した請求項２に記載の発明の効果に加え、次のような効果を奏する。
すなわち、請求項３に記載の発明によれば、所定ゲーム区間内において、予め設定された所定ゲーム数に限ることで、当該所定ゲーム数の直前では、払出数量をコントロールし、設定示唆に関わる演出頻度の向上を図ることができるばかりでなく、所定ゲーム数まで間がある場合や、所定ゲーム数を通過したゲームにおいては、遊技に集中することができる。
【００４４】
（請求項４）
請求項４に記載の発明によれば、上記した請求項２又は請求項３に記載の発明の効果に加え、次のような効果を奏する。
すなわち、請求項４に記載の発明によれば、役抽選手段により決定された当選役に応じて、設定値を示唆するか否かの確率を変化させることができる。
【００４５】
（請求項５）
請求項５に記載の発明によれば、上記した請求項１〜４のいずれか１項に記載の発明の効果に加え、次のような効果を奏する。
すなわち、請求項５に記載の発明によれば、演出頻度調整テーブルに少なくとも２種類のテーブルを持たせることで、設定示唆に関わる演出頻度を一層、複雑に調整することができる。
【００４６】
（請求項６）
請求項６に記載の発明によれば、上記した請求項３に記載の発明の効果に加え、次のような効果を奏する。
すなわち、請求項６に記載の発明によれば、所定ゲーム数を複数個、設定することで、設定示唆に関わる演出頻度を向上することができるばかりなく、設定示唆の信頼度を向上することができる。
例えば、１回、設定示唆が実行された場合と、複数回、設定示唆が実行された場合とを比較すると、遊技者は、複数回、設定示唆が実行された場合の方の方が、信頼性がより高いことを理解できる。
【００４７】
（請求項７）
請求項７に記載の発明によれば、上記した請求項１〜６のいずれか１項に記載の発明の効果に加え、次のような効果を奏する。
すなわち、請求項７に記載の発明によれば、複数個の所定ゲーム数内に、複数段階の設定値の段階を示唆する場合と、複数段階の設定値の高低を示唆する場合とを含ませることで、設定示唆に関し、遊技者に示唆する情報量を増加することができる。
【００４８】
例えば、段階を示唆する場合としては、設定５又は設定６とし、高低を示唆する場合としては、設定６とし、段階の示唆の結果、遊技者は、設定５又は設定６にある可能性があることを理解できる。続いて高低の示唆の結果があれば、遊技者は、高低の示唆の単独の場合と比較し、設定６の可能性がより高いことが理解できる。
【００４９】
（請求項８）
請求項８に記載の発明によれば、上記した請求項１〜７のいずれか１項に記載の発明の効果に加え、次のような効果を奏する。
すなわち、請求項８に記載の発明によれば、投入数量と、払出数量との差数に基づいて、設定示唆に関わる演出頻度を調整することができる。
【図面の簡単な説明】
【００５０】
【図１】本発明の第１の実施の形態であって、遊技機の概略正面図である。
【図２】本発明の第１の実施の形態であって、図柄の配列の一例を説明するための説明図である。
【図３】本発明の第１の実施の形態であって、遊技制御手段の概要を説明するためのブロック図である。
【図４】本発明の第１の実施の形態であって、メイン制御手段による遊技状態の概要を説明するための説明図である。
【図５】本発明の第１の実施の形態であって、図柄組合せ一覧の一例を示す図表である。
【図６】図５に続く図柄組合せ一覧の一例を示す図表である。
【図７】本発明の第１の実施の形態であって、遊技の流れの一例を説明するためのフローチャートである。
【図８】図７に用いるパラメータの一例を説明するための一覧表である
【図９】図７に示す遊技開始処理を説明するためのフローチャートである。
【図１０】図７に示す有利区間チェック処理を説明するためのフローチャートである。
【図１１】図１０に続くフローチャートである。
【図１２】図１０に続く他のフローチャートである。
【図１３】図１２に続くフローチャートである。
【図１４】図７に示す遊技終了処理を説明するためのフローチャートである。
【図１５】本発明の第１の実施の形態であって、設定示唆抽選テーブルの一例を説明するための一覧表である。
【図１６】本発明の第１の実施の形態であって、図３に示す演出頻度調整テーブルの一例を説明するための図表である。
【図１７】本発明の第１の実施の形態であって、図３に示す第１、第２テーブルの一例を説明するための図表である。
【図１８】本発明の第１の実施の形態であって、予告音演出決定抽選を説明するためのフローチャートである。
【図１９】図１８に続くフローチャートである。
【発明を実施するための形態】
【００５１】
（遊技機10）
本実施の形態に係る遊技機10としてのスロットマシンを、以下、図１を参照しながら説明する。
なお、遊技機10としてのスロットマシンを例示したが、これに限定されず、パチンコ機でもよい。
遊技機10は、前方向に向かって開口する正面開口を有する四角箱状の筐体11と、この筐体11の正面開口を開閉自在に覆う前扉12とを備えている。
【００５２】
（前扉12）
前扉12には、図１に示すように、上方より次の各部を備えている。
なお、前扉12の各部について後述する。
（１）上パネル部20
（２）操作部30
（３）下パネル部40
（４）中間パネル部50
なお、前扉12の各部は、上記した（１）〜（４）に限定されない。
【００５３】
（上パネル部20）
上パネル部20には、図１に示すように、次の各部を備えている。
なお、上パネル部20の各部について後述する。
（１）上部ランプ21
（２）上部パネル本体22
（３）中央表示器23
（４）上部スピーカ24
なお、上パネル部20の各部は、上記した（１）〜（４）に限定されない。
【００５４】
（操作部30）
操作部30には、図１に示すように、次の各部を備えている。
なお、操作部30の各部について後述する。
（１）ベットスイッチ31
（２）演出スイッチ32
（３）メダル投入口33
（４）スタートスイッチ34
（５）ストップスイッチ35
（６）精算スイッチ36
なお、操作部30の各部は、上記した（１）〜（６）に限定されない。
【００５５】
（下パネル部40）
下パネル部40には、図１に示すように、次の各部を備えている。
なお、下パネル部40の各部について後述する。
（１）下パネル本体41
（２）下部スピーカ42
（３）メダル払出口43
（４）メダル受け皿44
なお、下パネル部40の各部は、上記した（１）〜（４）に限定されない。
【００５６】
（中間パネル部50）
中間パネル部50には、図１に示すように、次の各部を備えている。
なお、中間パネル部50の各部について後述する。
（１）図柄表示窓51
（２）リールユニット52
（３）ナビゲーション表示装置60
なお、中間パネル部50の各部は、上記した（１）〜（３）に限定されない。
【００５７】
（リールユニット52）
まず、図１〜図３を用いて、中間パネル部50に配置されたリールユニット52について説明する。
リールユニット50は、複数の図柄54が個別に表示された複数の回転リール52を個別に回転可能なものである。
具体的には、リールユニット52は、図１に示すように、前扉12に形成された透過可能な図柄表示窓51の裏側に配置されている。
リールユニット52には、表面に図柄54（図２参照）が表示された複数の回転リール53、ここでは３個の左リール53a、中リール53b、右リール53cが回転可能に配置されている。各回転リール53は、図示しないが、ステッピングモータ等の駆動源により個別に回転・停止可能に構成されている。
【００５８】
なお、複数の回転リール53として、左リール53a、中リール53b、右リール53cの３個を例示したが、これに限定されず、例えば２個、或いは４個以上設けてもよい。
各回転リール53は、３個全てが停止した際には、縦３列横３行に配置した合計９個の図柄54が、図柄表示窓51を通して見えるように配置されている。
図柄表示窓51の表面には、有効ライン55が表示されている。有効ライン55として、各回転リール53の中段とを結んだ１本の直線が表示されている。有効ライン55は、図３を用いて後述する遊技結果判定手段240の判定対象となるラインを意味する。
【００５９】
なお、有効ライン55として、「直線」を例示したが、これに限定されず、直線は、左リール53a、中リール53b、右リール53cの順に、「上段・中段・下段」或いは「下段・中段・上段」のように傾斜していたり、「上段・中段・中段」や「中段・中段・下段」のうように折れ曲がったり、「上段・中段・上段」、「上・下段・上段」、「下段・中段・下段」或いは「下段・上段・下段」のように「Ｖ」字や「山形」に形成してもよく、叉、「１本」にも限定されず、２本以上としてもよい。
また、図柄54については、図２を用いて後述する。
【００６０】
（上部ランプ21）
つぎに、図１を用いて、上パネル部20に配置された上部ランプ21、上部パネル本体22、中央表示器23及び上部スピーカ24について説明する。
まず、上部ランプ21は、画像表示部51の上方中央に位置し、各種の演出に使用される。
【００６１】
（上部パネル本体22）
上部パネル本体22は、図１において、上部ランプ21の下側に位置し、その表面には、図示しないが、役を構成する図柄54の組み合わせと、各図柄54の組み合わせに対する配当（メダルの払い出し枚数）等が表示されている。
上部パネル本体22は、透光性の部材で形成され、裏面側には複数個の内部ランプ22a〜22cが配置されている。
内部ランプ22a〜22cは、上部パネル本体22の裏面側に配置され、図１において、向かって左側、中央、右側に３個並び、左内部ランプ22a、中内部ランプ22b、右内部ランプ22cから構成され、常時は点灯し、主として「消灯演出」に用いられる。
【００６２】
（中央表示器23）
中央表示器23は、図１において、上部パネル本体22の下側の中央に位置し、各種の演出に用いられる。中央表示器23は、図示しないが、数字、アルファベット、記号等を表示可能であり、例えば１６セグメントから構成されている。
【００６３】
（上部スピーカ24）
上部スピーカ24は、図１において、中央表示器23の左右両側に一対配置され、各種の効果音を出力するものである。
【００６４】
（ベットスイッチ31）
つぎに、図１を用いて、操作部30に配置されたベットスイッチ31、演出スイッチ32、メダル投入口33、スタートスイッチ34、ストップスイッチ35及び精算スイッチ36について説明する。
まず、ベットスイッチ31は、図１において、操作部30の向かって左側に位置し、先にクレジットとして内部的にカウントされているクレジットメダルを機内に投入、すなわちベットするためのものである。
なお、ベットスイッチ31として、１個のスイッチを例示したが、複数個設けてもよい。
【００６５】
ここで、「クレジットメダル」は、クレジット機能により機内に貯留された遊技媒体の一例であるメダルをいう。クレジット機能は、遊技開始の条件として、後述するメダル投入口33から予めメダルを投入して、最大５０枚までクレジットメダルとして内部に貯留可能な機能をいい、具体的には投入枚数を電子データとして電子的に記憶し管理している。なお、このクレジットメダルとして貯留可能な最大枚数である５０枚を最大クレジットメダル数とする。
なお、「遊技媒体」として、「メダル」を例示したが、これに限定されず、例えばパチンコ球等でもよい。
【００６６】
（演出スイッチ32）
演出スイッチ32は、図１において、ベットスイッチ31の右隣に位置し、演出に用いられるスイッチである。演出スイッチ32は、常時は消灯し、操作が無効であることを表示し、遊技の進行に伴って所定のタイミングで点灯することで、操作が可能であることを表示し、操作が可能な状態において操作されることで、各種の予告演出が報知される。
【００６７】
（メダル投入口33）
メダル投入口33は、図１において、操作部30の向かって右側に位置し、遊技媒体の一例であるメダルを機内に投入するためのものである。メダル投入口33の内部には、メダルセンサー37（図３参照）が配置され、正規なメダルを電子的に検出している。
【００６８】
（スタートスイッチ34）
スタートスイッチ34は、遊技者の操作により前記複数の回転リール52の回転を開始させるためのものである。
具体的には、スタートスイッチ34は、図１において、操作部30の下段の向かって左側に位置し、遊技者の操作により３個の回転リール53の回転を開始させるためのものである。
スタートスイッチ34は、レバー状に形成され、メダルの投入又は後述するベットスイッチ31の操作を条件に、回転リール53の回転を開始させるためのものである。すなわち、このスタートスイッチ34は、遊技者の操作により回転リール53の図柄54の変動表示を開始させるためのものである。
【００６９】
（ストップスイッチ35）
ストップスイッチ35は、複数、例えば３個の回転リール52の各々に対応して設けられ、遊技者の操作により回転中の３個の回転リール52を個別に停止可能なものである。
具体的には、ストップスイッチ35は、図１において、操作部30の下段の中央に位置し、複数、例えば３個、左ストップスイッチ35a、中ストップスイッチ35b、右ストップスイッチ35cから構成される。
３個の各ストップスイッチ35は、押しボタン状に形成され、３個の回転リール53の各々に対応して設けられ、スタートスイッチ34の操作により回転中の３個の回転リール53を個別に停止可能なものである。
左ストップスイッチ35aは、左リール53aに、中ストップスイッチ35bは中リール53bに、右ストップスイッチ35cは右リール53cにそれぞれ対応している。
【００７０】
（精算スイッチ36）
精算スイッチ36は、図１において、操作部30の下段の向かって右側に位置し、クレジット機能によりクレジットしたメダルの全てを払い出すためのものである。
【００７１】
（下パネル本体41）
つぎに、図１を用いて、下パネル部40に配置された下パネル本体41、下部スピーカ42、メダル払出口43及びメダル受け皿44について説明する。
まず、下パネル本体41は、図１において、下パネル部40の中央に位置し、絵柄や文字等が表示され、図示しないが、照明により点灯するように構成されている。
【００７２】
（下部スピーカ42）
下部スピーカ42は、図１において、下パネル本体41の下側の左右一対に配置され、上部スピーカ24とともに、各種の効果音を出力するものである。
【００７３】
（メダル払出口43）
メダル払出口43は、図１において、下パネル本体41の下側中央に位置し、内部に配置され、ホッパーユニット80（図３参照）から払い出されたメダルが通過する開口である。
ホッパーユニット80は、遊技媒体の一例であるメダルを払い出すものであり、「遊技媒体払出装置」ともいう。
【００７４】
（メダル受け皿44）
メダル受け皿44は、図１において、メダル払出口43の下側に配置され、メダル払出口28から払い出されたメダルを貯留するためのものである。
【００７５】
（ナビゲーション表示装置60）
つぎに、図１を用いて、中間パネル部50に配置されたナビゲーション表示装置60について説明する。
ナビゲーション表示装置60は、図１において、回転リール53の下側に位置し、いわゆる「押し順」の報知に用いられる。
ナビゲーション表示装置60は、リール左下ランプ61、リール中下ランプ62、リール右下ランプ63の計３個のランプから構成され、各ランプ61は、回転リール53とストップスイッチ35との間に位置するとともに、対応して設けられている。
【００７６】
（演出装置80）
演出装置80は、図１及び図３に示すように、後述するメイン制御手段200による遊技状態に応じて演出を実行可能なものである。
ここで、「演出装置80」としては、例えば「スピーカ24,42」が相当する。「演出装置80」としては、「スピーカ24,42」を例示したが、これに限定されず、例えば「ナビゲーション表示装置60」、「ランプ21〜23」でもよいし、図示しないが液晶表示装置などでもよい。
【００７７】
（図２を用いた図柄54の説明）
図柄54について、図２を用いて説明する。
図柄54は、リール枠56の周囲に、所定の間隔で複数、例えば２１個表示されている。
なお、図柄54の個数として、２１個を例示したが、これに限定されず、例えば２０個でもよい。
【００７８】
図柄54の種類としては、「白７Ａ、白７Ｂ」、「キャラ」、「ＢＡＲ」、「ベル」、「リプＡ、リプＢ」、「スイカＡ、スイカＢ」、「チェリー」があるが、これらに限定されない。
ここで、「キャラ」は、「キャラクタ」の略語である。
ここで、「リプ」は、「リプレイ」の略語であり、「再遊技」ともいう。
なお、図２の図柄番号（コマ番号）は、回転リール53の外周表面に物理的に付されているものではなく、仮想的な番号であって、各図柄54の停止を制御するためのプログラムである。
【００７９】
（遊技制御手段100）
つぎに、図３を用いて、遊技制御手段100について説明する。
遊技制御手段100は、図示しないが、遊技機10の内部に位置し、複数種類、例えばメイン制御基板とサブ制御基板から構成されている。
各制御基板は、図示しないが、ＣＰＵを中心に構成され、ＲＯＭ、ＲＡＭ、Ｉ／Ｏポート等を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００８０】
そして、ＲＯＭ等の記憶部に記憶される各種のプログラム及びデータをＣＰＵが読み込むことで、メイン制御基板とサブ制御基板を全体として概観したときには、遊技制御手段100として機能する。また、メイン制御基板を単独で概観すると、メイン制御手段200として、叉、サブ制御基板を単独で概観すると、サブ制御手段300としてそれぞれ機能する。
メイン制御基板とサブ制御基板との通信は、メイン制御基板からサブ制御基板への一方向の通信に限定される。サブ制御基板からメイン制御基板への逆方向の通信は禁止され、逆方向の通信による不正行為を防止している。
【００８１】
（メイン制御手段200）
メイン制御手段200は、図３に示すように、リールユニット50、スタートスイッチ34、複数のストップスイッチ35にそれぞれ接続され、遊技の進行を制御するものである。
また、メイン制御手段200による遊技状態には、図４を用いて後述する「通常区間」（例えば役物の未作動時）と、通常区間より移行し、入賞に係る条件装置（例えばフラグ）の作動確率が増加する「有利区間」（例えば役物の作動時）と、を有する。
【００８２】
ここで、「通常区間」として、「役物の未作動時」を例示したが、「役物」としては、例えば図４に示す「ＳＢ」等の役物のほかに、「ＢＢ」等の「役物連続作動装置」を含む概念である。
ここで、「有利区間」として、役物の作動時、例えば「ＢＢ」が相当するが、これに限定されず、「ＡＲＴ」を含めてもよい。
【００８３】
メイン制御手段200の入力段には、図３に示すように、メダルセンサー39、ベットスイッチ31、スタートスイッチ34、ストップスイッチ35及び精算スイッチ36等がそれぞれ接続されている。
メイン制御手段200の出力段には、サブ制御手段300のほか、リールユニット52及びホッパーユニット80等がそれぞれ接続されている。
【００８４】
メイン制御手段200には、図３に示すように、大別すると、次の手段を備える。
なお、次の（１）〜（１０）については後述する。
（１）設定値設定手段210
（２）役抽選手段220
（３）リール制御手段230
（４）遊技結果判定手段240
（５）払出制御手段250
（６）通常区間制御手段260
（７）有利区間制御手段270
（８）リミッタ手段280
（９）示唆抽選手段285
（１０）送信制御手段290
なお、メイン制御手段200の手段は、上記した（１）〜（１０）に限定されない。
【００８５】
（サブ制御手段300）
サブ制御手段300は、図３に示すように、メイン制御手段200及び演出装置80に接続され、メイン制御手段200による遊技の進行に連動して演出装置80を制御するものであり、「演出制御手段」ともいう。
また、サブ制御手段300（演出制御手段）は、メイン制御手段200の示唆抽選手段285による抽選結果に応じ、設定値設定手段210により設定された設定値を、演出装置80を用いて遊技者に示唆する。
ここで、「示唆抽選手段285による抽選結果に応じ、」としては、例えば図１５に示す「設定示唆抽選テーブル」を用いて、設定示唆抽選を実行している。
【００８６】
また、「演出装置80を用いた遊技者への示唆」としては、回転リール52の回転後の停止音（例えば左停止音）を変化させる。
ここで、「演出装置80」としては、図１に示すように、「スピーカ24,42」が相当する。
また、「停止音」として、「左停止音」、すなわち図１に示す「左リール52a」の停止音を例示したが、これに限定されず、例えば「中リール52b」や、「右リール52c」でよいし、或いは３個の「回転リール52」のいずれか２個若しくは全てでもよい。
【００８７】
サブ制御手段300の入力段には、図３に示すように、メイン制御手段200のほか、演出スイッチ32等がそれぞれ接続されている。
サブ制御手段300の出力段には、図１を用いて説明したナビゲーション表示装置60、各種のランプ群21〜23及びスピーカ群24,42等がそれぞれ接続されている。
【００８８】
サブ制御手段300には、図３に示すように、大別すると、次の手段を備える。
なお、次の（１）〜（４）については後述する。
（１）受信制御手段310
（２）通常区間演出制御手段320
（３）有利区間演出制御手段330
（４）演出実行手段340  
なお、サブ制御手段300の手段は、上記した（１）〜（４）に限定されない。
【００８９】
（メイン制御手段200の設定値設定手段210）
つぎに、図３を用いて、メイン制御手段200を構成する設定値設定手段210、役抽選手段220、リール制御手段230、遊技結果判定手段240、払出制御手段250、通常区間制御手段260、有利区間制御手段270、リミッタ手段280、示唆抽選手段285及び送信制御手段290について説明する。
まず、設定値設定手段210は、遊技者の有利度合いに応じて段階的に設けられた複数段階の設定値、図１５に示すように、例えば６段階の設定１、設定２、設定５、設定６の４種類の設定のうちから、一つの設定値を設定可能なものである。
なお、「複数段階の設定値」として、６段階を例示したが、これに限定されず、２〜５段階、或いは７段階以上でもよい。
【００９０】
（役抽選手段220）
役抽選手段220は、当選役を決定する役抽選を実行するものである。
すなわち、役抽選手段220は、スタートスイッチ34の操作を契機に、複数の役のいずれかに当選か又はハズレかの役抽選を行うためのものである。
役抽選手段220は、役に当選したか否かを決定するための抽選テーブルを、複数備えており、メイン制御手段200のＲＯＭ上に記憶されている。役抽選手段220は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
【００９１】
本実施の形態では、役として、大別すると、「小役」（メダルの払い出しを伴う役）、「再遊技役」（遊技者所有のメダルを使用することなく次回の遊技を開始可能とする役、いわゆるリプレイ役）、「移行役」（遊技状態の移行を伴う役、例えば「ボーナス移行役」）が設けられている。役のうち、「ボーナス移行役」については、次ゲームへの持ち越しが可能である。
役抽選の当選確率は、複数段階、本実施の形態では、６段階（設定１〜設定６）に設定されており、設定１が最も低く、設定６が最も高くなるように設定されている。
【００９２】
（リール制御手段230）
リール制御手段230は、リールユニット52のステッピングモータ等の駆動源（図示せず）の駆動を制御することで、各回転リール53の駆動・停止制御を行うものである。
リール制御手段230は、役抽選手段220の抽選結果と、各ストップスイッチ35が操作されたときの対応する回転リール53の回転位置とに基づいて、各回転リール53の回転を停止させる。
【００９３】
（遊技結果判定手段240）
遊技結果判定手段240は、全ての回転リール53が停止した際に、図１に示す有効ライン55上の図柄54の組合せに基づいて入賞等の判定をするためのものである。
【００９４】
（払出制御手段250）
払出制御手段250は、ホッパーユニット80のステッピングモータ等の駆動源（図示せず）の駆動を制御することで、遊技結果判定手段240の判定結果に基づいて、メダル払い出し等の所定の処理を行うためのものである。払出制御手段250は、遊技結果判定手段240の判定の結果、小役が入賞していると判定されると、当該小役に対応する所定枚数のメダルの払い出しを行う。
【００９５】
（通常区間制御手段260）
通常区間制御手段260は、図４に示す「通常区間」の進行を制御するものである。
ここで、「通常区間」は、図４を用いて後述する「有利区間」を除く遊技区間を意味する。
ここで、「ＳＢ」は、「シングル・ボーナス」の略語である。
【００９６】
（有利区間制御手段270）
有利区間制御手段270は、図４に示す「有利区間」の進行を制御するものである。
ここで、「有利区間」は、「通常区間」より遊技者にとって有利な遊技区間をいい、具体的には「通常区間」より移行し、入賞に係る条件装置（フラグ）の作動確率が増加し、例えば「役物遊技」（ＢＢ１〜５）が含まれる。
なお、「有利区間」には、「ＡＲＴ」を含む概念である。
ここで、「ＡＲＴ」は、図４に示す「通常区間」に含まれる「ＲＴ１」及び「ＲＴ２」のように、リプレイ確率の高い「ＲＴ」の状態において、同時に「ＡＴ」が作動した状態をいう。また、リプレイ確率の低い状態を、「非ＲＴ」といい、図４に示す「通常区間」が相当する。
【００９７】
ここで、「ＲＴ」は、「リプレイ・タイム」の略語である。「ＲＴ」は、図５を用いて後述するリプレイ役（再遊技役）に当選し、当該リプレイ役に対応する図柄54の組合せが有効ライン55上に揃うと、メダルの払い出しはないものの、次回の遊技において遊技者所有のメダルを使用することなく、賭け数が自動的に設定され、遊技を行うことができる状態をいう。
ここで、「ＡＴ」は、「アシスト・タイム」の略語である。「ＡＴ」は、図１及び図３に示すナビゲーション表示装置60の作動状態をいい、遊技者に対し、ストップスイッチ35の「押し順」が報知可能な状態である。
【００９８】
（リミッタ手段280）
リミッタ手段280は、予め設定されたリミット条件が達成された場合に、遊技価値を増加可能な遊技区間を終了させるものである。
ここで、「予め設定されたリミット条件」としては、図４を用いて後述する「通常区間」（例えば役物の未作動時）から「有利区間」（例えば役物の作動時）に移行後のゲーム数が予め設定された所定のゲーム数、１５００Ｇ経過したことを条件としている。
【００９９】
なお、「予め設定されたリミット条件」として、ゲーム数を例示したが、これに限定されず、メダルの払い出し枚数、或いはメダルの投入枚数と払い出し枚数との差数でもよい。
ここで、「遊技価値を増加可能な遊技区間」としては、図１及び図３に示すように、ナビゲーション表示装置60による、ストップスイッチ34の押し順のナビゲーション状態をいう。
なお、「遊技価値を増加可能な遊技区間」としては、押し順のナビゲーション状態を例示したが、これに限定されない。
【０１００】
（示唆抽選手段285）
示唆抽選手段285は、リミッタ手段280の作動後、予め設定された役に当選したことを「条件」とし、設定値設定手段210により設定された設定値を、遊技者に示唆するか否かを設定示唆抽選により決定するものである。
ここで、「リミッタ手段280の作動後、」としては、図４を用いて後述する「有利区間」（例えば役物の作動時）が相当する。
また、示唆抽選手段285は、「有利区間」において作動する。
【０１０１】
また、「有利区間」としては、図４に示すように、役物の作動時（役物遊技）、例えば「ＢＢ」（ＢＢ１〜ＢＢ５）が相当するが、これに限定されず、「ＡＲＴ」（ＲＴ１、ＲＴ２）を含めてもよい。
なお、「リミッタ手段280の作動後、」として、「有利区間」を例示したが、これに限定されず、「通常区間」（例えば役物の未作動時）でもよい。
ここで、「予め設定された役」としては、図４を用いて後述する「ＢＢ」中の一般遊技状態（一般遊技）において、ボーナス状態（例えば「ＲＢ１」）への移行役（例えば「ＲＢ１」、図５参照）が相当する。
なお、「予め設定された役」として、移行役を例示したが、これに限定されない。
【０１０２】
一方、示唆抽選手段285は、予め設定された役に当選したことを「第一の条件」とし、複数のストップスイッチ35が予め設定された操作順番で操作されたことを、「第二の条件」とし、当該「第二の条件」に加え、「第一の条件」の両条件が充足された場合に限り、設定示唆抽選を実行する。
【０１０３】
ここで、「複数のストップスイッチ35が予め設定された操作順番で操作されたこと」としては、図１に示す「左ストップスイッチ35a」が、３個のストップスイッチ35において、第一番目に操作されないことで、すなわち、第二番目に操作された場合や、最後に操作された場合が相当する。
「複数のストップスイッチ35が予め設定された操作順番で操作されたこと」としては、「左ストップスイッチ35a」が第一番目に操作されない場合を例示したが、これに限定されず、第一番目に操作されたこと、第二番目に操作されたこと、最後に操作されたことを条件としてもよいし、或いはいわゆる「順押し」や「逆押し」といった停止操作パターンを条件としてもよい。
【０１０４】
さらに、示唆抽選手段285は、役抽選の結果、当選した役に入賞した場合、すなわち予め設定された図柄54が停止表示されたことを第三の条件とし、当該第三の条件に加え、「第一の条件」及び「第二の条件」の全ての条件が充足された場合に限り、前記設定示唆抽選を実行する。
なお、「条件」として、第一〜第三の条件を例示したが、「第一の条件」を単独で充足した態様、「第一の条件」及び「第二の条件」の２個の条件を充足した態様、「第一の条件」、「第二の条件」及び「第二の条件」の３個の条件を充足した態様の３つの態様がある。
【０１０５】
（送信制御手段290）
送信手段290は、サブ制御手段300へ信号（コマンドや情報）を送信するためのものである。
具体的には、送信制御手段290は、役抽選手段220により決定された当選役、遊技の開始・終了及びホッパーユニット70（遊技媒体払出装置）により払い出された遊技媒体の払出数量に関する遊技情報を、サブ制御手段300（演出制御手段）に送信する。
また、送信制御手段290は、設定値設定手段210により設定された設定値を遊技情報に含めてサブ制御手段300（演出制御手段）に送信する。
【０１０６】
（サブ制御手段300の受信制御手段310）
つぎに、図３を用いて、サブ制御手段300を構成する受信制御手段310、通常区間演出制御手段320、有利区間演出制御手段330について説明する。
まず、受信手段310は、送信手段290からの信号（コマンドや情報）を受信するものである。
【０１０７】
（通常区間演出制御手段320）
通常区間演出制御手段320は、「通常区間」における各種の演出を制御するものである。
ここで、「各種の演出」としては、図１に示すように、ナビゲーション表示装置60、ランプ21〜23及びスピーカ24,42を用いた演出である。
【０１０８】
（有利区間演出制御手段330）
有利区間演出制御手段330は、「有利区間」における各種の演出を制御するものである。
ここで、「各種の演出」としては、図１に示すように、ナビゲーション表示装置60、ランプ群21〜23及びスピーカ群24,42を用いた演出である。
有利区間演出制御手段330は、図３に示すように、次の手段を備える。
なお、次の（１）については後述する。
（１）ナビゲーション制御手段331
なお、有利区間演出制御手段330の手段は、上記した（１）に限定されない。
【０１０９】
（ナビゲーション制御手段331）
ナビゲーション制御手段331は、メイン制御手段200の役抽選手段220の役抽選の結果にもとづいて、各種のナビゲーション（以下、「ナビ」ともいう。）を実行するものである。ナビは、図１に示すように、主としてナビゲーション表示装置60を用いて実行される。
ここで、「各種のナビゲーション」としては、次のナビを実行している。
【０１１０】
（演出実行手段340）
演出実行手段340は、送信制御手段290から送信された遊技情報にもとづいて、演出装置80を用いて遊技者に演出を実行するものである。
演出実行手段340は、図３に示すように、次の手段を備える。
なお、次の（１）〜（４）については後述する。
（１）ゲーム数カウント手段350
（２）払出数量カウント手段360
（３）演出頻度調整テーブル370
（４）演出頻度調整手段380
なお、演出実行手段340の手段は、上記した（１）〜（４）に限定されない。
【０１１１】
（ゲーム数カウント手段350）
ゲーム数カウント手段350は、予め設定されたゲーム数より構成される所定ゲーム区間内におけるゲーム数をカウントするものである。
ここで、「所定ゲーム区間」としては、「５０Ｇ」を例示するが、これに限定されない。
【０１１２】
（払出数量カウント手段360）
払出数量カウント手段360は、所定ゲーム区間内における払出数量をカウントするものである。
【０１１３】
（演出頻度調整テーブル370）
演出頻度調整テーブル370は、図１５を用いて後述するが、ゲーム数カウント手段350によりカウントされるゲーム数と、払出数量カウント手段360によりカウントされた払出数量に基づいて決定される基準値とが関連付けて記憶されたものである。
【０１１４】
ここで、「基準値」としては、図１６に示す「払出枚数」を例示するが、これに限定されず、図示しないが、例えば「差枚数」、或いは「吸い込み枚数」でもよい。
「差枚数」は、遊技機10内に投入された遊技媒体の投入数量と、ホッパーユニット70（遊技媒体払出装置）により払い出された払出数量との差である。
【０１１５】
また、演出頻度調整テーブル370に記憶された基準値は、図１６を用いて後述するように、設定値設定手段210により設定された設定値に基づいて変化する。
さらに、設定値に基づいて変化する基準値は、図１６を用いて後述するように、所定ゲーム区間内において、予め設定された所定ゲーム数に限られている。
ここで、「所定ゲーム数」としては、例えば図１６に示す「２２〜２４」Ｇ、或いは「４２〜４７」Ｇが相当する。
【０１１６】
なお、「所定ゲーム数」としては、「２２〜２４」Ｇ、或いは「４２〜４７」Ｇを例示したが、これに限定されず、１つのゲーム数でもよいし、或いは１個置きや複数個置きに設定してもよい。
また、演出頻度調整テーブル370は、図１７を用いて後述するように、役抽選手段220により決定された当選役に応じて、設定値を示唆するか否かの確率を変化させている。
【０１１７】
さらに、所定ゲーム数は、例えば図１６に示すように、所定ゲーム区間内に複数個、設定されている。
ここで、「複数個」としては、「２２〜２４」Ｇの３連続、或いは４２Ｇ〜４７Ｇの６連続を例示したが、これに限定されず、非連続に設けてもよい。
【０１１８】
また、複数個の所定ゲーム数には、例えば図１６に示すように、複数段階の設定値の段階を示唆する場合と、複数段階の設定値の高低を示唆する場合と、を含んでいる。
ここで、「複数段階の設定値の段階を示唆する場合」としては、例えば図１６に示すように、２２Ｇ、或いは４２Ｇ〜４４Ｇが相当し、「設定５」又は「設定６」であることを示唆している。
ここで、「複数段階の設定値の高低を示唆する場合」としては、例えば図１６に示すように、２３Ｇ、２４Ｇ、或いは４５Ｇ〜４７Ｇが相当し、「設定６」であることを示唆している。
【０１１９】
演出頻度調整テーブル370には、図３及び図１７に示すように、次の構成を含む。
（１）第１テーブル371
第１テーブル371は、図１７に示すように、演出頻度調整手段380による判定結果により、実数値が基準値に達していると判定されている場合に用いられ、設定値を示唆する頻度が設定されたものである。
ここで、「実数値が基準値に達している」とは、実数値が例えば基準値「未満」の場合が相当する。
【０１２０】
（２）第２テーブル372
第２テーブル372は、図１７に示すように、演出頻度調整手段380による判定結果により、実数値が基準値に達していないと判定されている場合に用いられ、第１テーブル371と比較し、設定値を示唆する頻度が低く設定されたものである。
ここで、「実数値が基準値に達していない」とは、実数値が例えば基準値「以上」の場合が相当する。
【０１２１】
（演出頻度調整手段380）
演出頻度調整手段380は、演出頻度調整テーブル370を用いて、ゲーム数カウント手段350によりカウントされるゲーム数に対応する基準値を読み出し、読み出した基準値に、払出数量カウント手段360によりカウントされた払出数量に基づいて決定される実数値が達しているか否かを判断し、その判断結果により演出装置80を用いて設定示唆に関わる演出頻度を調整する。
【０１２２】
（図４に示す遊技状態の説明）
つぎに、図４を用いて「遊技状態」について説明する。
「遊技状態」は、遊技の進行については、図３に示すメイン制御手段200により制御されている。
「遊技状態」は、大別すると、次の状態を含んでいる。
つぎの（１）及び（２）については後述する。
（１）通常区間（２）有利区間
なお、「遊技状態」は、上記した（１）及び（２）に限定されない。
【０１２３】
（通常区間）
「通常区間」においては、図４に示すように、「通常遊技」が実行され、「非ＲＴ」の状態にあり、後述する「有利区間」を除く遊技区間をいう。
ここで、「非ＲＴ」は、図示しないが、通常遊技用の抽選テーブルによって役抽選が行われる遊技状態であり、「ＲＴ」は「リプレイ・タイム」の略語である。
「通常区間」は、図３に示すメイン制御手段200の通常区間制御手段260により制御される。なお、演出については、サブ制御手段300の通常区間演出制御手段320により制御される。
【０１２４】
「通常区間」には、次の遊技状態を含む。
なお、次の（１）及び（２）については後述する。
（１）普通遊技
（２）ＳＢ
なお、「通常区間」の遊技状態は、上記した（１）及び（２）に限定されない。
【０１２５】
（普通遊技）
「普通遊技」においては、一般的には遊技全体における滞在ゲーム数が最も多くなる遊技状態であり、遊技者にとっては不利な状態でもあり、設定変更後に移行するデフォルト状態である。なお、図示しないが、「設定変更」の実行後、或いは「設定変更」が実行されない場合には、電源投入後に進む。
「普通遊技」においては、図５及び図６に示す役名「リプ」（リプレイ）、「ベル」、「チェリー」、「スイカ」等の一般役に加え、「ＢＢ１〜５」及び「ＳＢ」のボーナス役の役抽選が実行される。なお、役抽選は、図３に示すメイン制御手段200の役抽選手段220により実行される。
【０１２６】
（設定変更）
「設定変更」は、図３に示すメイン制御手段200の設定値設定手段210により実行し、設定変更後、後述する「通常区間」の「通常遊技」に進む。
なお、「設定変更」は、図示しないが「設定変更キー」を用いて、設定変更モードに移行させた上で、操作を行うものであり、設定変更モードの操作終了と共にメイン制御手段200およびサブ制御手段300の「ＲＡＭ」に一時的に記憶されていたデータが削除され、デフォルト状態で遊技可能な状態に移行するものであり、電源のオン操作（ＯＮ操作）のみの場合は、電源オフ前（電源ＯＦＦ）の遊技状態がそのまま引き継がれた遊技状態で遊技可能な状態となる。
設定変更は、複数段階の設定値、図１５に示すように、例えば６段階の設定１、設定２、設定５、設定６の４種類の設定のうちから、一つの設定値を設定する。
【０１２７】
（ＳＢ）
「ＳＢ」は、ボーナスゲームの一つであり、いわゆる「ＪＡＣゲーム」が１回だけ可能である。また、フラグは、次ゲームに持ち越されず、そのままフラグが消滅する。
「ＳＢ」は、「シングル・ボーナス」の略語であり、「ＳＢ」と略すこともある。
「ＳＢ」は、「ＳＢ」図柄の入賞により移行し、１回の遊技を消化すると、「通常遊技」に進む。
「ＳＢ」図柄は、図５を用いて後述するように、図１に示す有効ライン55上に、「白７Ａ／ベル／スイカＢ」の図柄54の組み合わせが揃った場合である。
【０１２８】
（有利区間）
「有利区間」は、図４に示すように、「通常区間」より遊技者にとって有利な遊技区間をいい、具体的には「通常区間」より移行し、入賞に係る条件装置の作動確率が増加する区間をいう。
「有利区間」は、図３に示すメイン制御手段200の有利区間制御手段270により制御される。なお、演出については、サブ制御手段300の有利区間演出制御手段330により制御される。
【０１２９】
「有利区間」には、次の遊技状態を含む。
なお、次の（１）及び（２）については後述する。
（１）役物遊技（ＢＢ１〜ＢＢ５）
（２）ＡＲＴ（ＲＴ１、ＲＴ２）
なお、「有利区間」の遊技状態は、上記した（１）及び（２）に限定されない。
【０１３０】
（役物遊技）
役物遊技は、役物の作動状態にあり、図４に示すように、「ＲＴ３」の状態にある。「ＲＴ３」は、リプレイ確率が「０」に設定されている。
「役物遊技」には、次の遊技状態を含む。
なお、次の（１）〜（３）については後述する。
（１）ＢＢ１〜３
（２）ＢＢ４
（３）ＢＢ５
なお、「役物遊技」の遊技状態は、上記した（１）〜（３）に限定されない。
【０１３１】
（ＡＲＴ）
「ＡＲＴ」は、リプレイ確率の高い「ＲＴ」（ＲＴ１、ＲＴ２）の状態において、同時に「ＡＴ」が作動した状態をいう。
「ＡＲＴ」には、次の遊技状態を含む。
なお、次の（１）及び（２）については後述する。
（１）ＲＴ１
（２）ＲＴ２
なお、「ＡＲＴ」の遊技状態は、上記した（１）及び（２）に限定されない。
【０１３２】
（役物遊技中、ＢＢ１〜３）
「ＢＢ１〜３」は、最も払い出し枚数の多い遊技である、図４に示すように、「ＳＢＢ」、すなわち「スーパー・ビッグ・ボーナス」に該当する。
「ＢＢ１〜３」は、「通常区間」において、図５を用いて後述する役名「ＢＢ１〜３」に当選し、当該役に対応する図柄54の入賞、すなわち、当該図柄54を有効ライン55上に揃えることで移行する。
役名「ＢＢ１」に対応する図柄54は、図５を用いて後述するように、「白７Ａ／白７Ａ／白７Ａ」の図柄54の組み合わせである。
【０１３３】
役名「ＢＢ２」に対応する図柄54は、図５を用いて後述するように、「白７Ｂ／白７Ａ／白７Ｂ」の図柄54の組み合わせである。
役名「ＢＢ１」と役名「ＢＢ２」とは、図柄表示窓51内に「白７」がダブルライン状に停止している点では共通するが、左右のリールの「白７」の停止位置が異なっている。
役名「ＢＢ３」に対応する図柄54は、図５を用いて後述するように、「キャラ／キャラ／キャラ」の図柄54の組み合わせである。
「ＢＢ１〜３」は、「４４２枚」を超える払い出しにより終了し、「ＡＲＴ」の「ＲＴ１」に移行する。
【０１３４】
「ＢＢ１〜３」には、次の遊技状態を有する。
なお、次の（１）及び（２）については後述する。
（１）一般遊技（一般遊技状態）
（２）ＲＢ１（ボーナス状態）
なお、「ＢＢ１〜３」の遊技状態は、上記した（１）及び（２）に限定されない。
【０１３５】
（ＢＢ１〜３中、一般遊技）
「一般遊技」は、「一般遊技状態」であり、「ＢＢ１〜３」に移行後、に進む。
【０１３６】
（ＢＢ１〜３中、ＲＢ１）
「ＲＢ１」は、「一般遊技」において「移行図柄」の当選、入賞を条件に移行する。
「移行図柄」は、図５を用いて後述する役名「Ｒ１１」及び「Ｒ１２」が相当する。
【０１３７】
役名「ＲＢ１」に対応する図柄54は、図５を用いて後述するように、次の図柄54の組み合わせが相当する。
（１）「リプＡ・リプＢ／ベル／ベル」（Ｒ１１）
（２）「ＢＡＲ／ベル／ベル」（Ｒ１２）
【０１３８】
「ＢＡＲ／ベル／ベル」（Ｒ１２）に入賞した場合には、リミッタ手段280の作動後で、且つ第二の条件及び第三の条件を充足した場合に限るが、示唆抽選手段285による設定示唆抽選が実行され、その結果、当選した場合には、左ストップスイッチ35aによる「左停止音」が変化する。
これに対し、「リプＡ／ベル／ベル」（Ｒ１１）に当選した場合には、第一の条件（予め設定された役の当選）を充足しない。
【０１３９】
「ＲＢ１」は、終了条件の達成により終了し、「一般遊技」に戻る。
「ＲＢ１」の終了条件は、次の通りである。
（１）７回の遊技
（２）７回の入賞
なお、「ＲＢ１」は、「ＢＢ１〜３」の終了条件が達成された場合、すなわち「４４２枚」を超える払い出しにより終了し、「ＡＲＴ」の「ＲＴ１」に移行する。
【０１４０】
（ＢＢ４）
「ＢＢ４」は、「ＢＢ１〜３」より払い出し枚数の少ない遊技であり、ボーナス遊技自体「ＢＢ１〜ＢＢ３」のように「一般遊技」と「ＲＢ１」で構成されてはおらず、後述する「ＢＢ５」と同様に遊技内容は「レギュラー・ボーナス（ＲＢ）」の遊技と同様であり、所定の払い出し枚数に到達するまで「ＪＡＣゲーム」が実行可能である。「ＢＢ４」は、先に説明した「ＢＢ１〜３」の「ＳＢＢ」（スーパー・ビッグ・ボーナス）に対し、「ＮＢＢ」、すなわち「ノーマル・ビッグ・ボーナス」とも呼ばれている。
【０１４１】
「ＢＢ４」は、「通常区間」において、図５を用いて後述する役名「ＢＢ４」に当選し、当該役に対応する図柄54を揃えることで移行する。
役名「ＢＢ４」に対応する図柄54は、図５を用いて後述するように、図１に示す有効ライン55上に、「白７Ｂ／白７Ａ／白７Ａ」の図柄54の組み合わせが揃った場合であり、図柄表示窓51内に「白７」がシングルライン状に停止している点で「ＢＢ１〜ＢＢ２」とは相違している。
「ＢＢ４」は、所定枚数のメダルの払い出しにより終了する。ここで、「所定枚数」としては、例えば「３１２枚」を超える払い出しであり、当該枚数に到達すると終了し、「ＡＲＴ」の「ＲＴ２」に移行する。「所定の枚数」として、「３１２枚」を例示したが、これに限定されない。
【０１４２】
（ＢＢ５）
「ＢＢ５」は、図４に示すように、「ＲＢ」、すなわち「レギュラー・ボーナス」として機能し、所定の払い出し枚数に到達するまで「ＪＡＣゲーム」が実行可能である。
「ＢＢ５」は、「通常区間」において、図５を用いて後述する役名「ＢＢ５」に当選し、当該役に対応する図柄54を揃えることで移行する。
【０１４３】
役名「ＢＢ５」に対応する図柄54は、図５を用いて後述するように、「ＢＡＲ／ＢＡＲ／ＢＡＲ」の図柄54の組み合わせである。
「ＢＢ５」は、所定枚数のメダルの払い出しにより終了する。ここで、「所定の枚数」としては、例えば「１１７枚」を超える払い出しであり、当該枚数に到達すると終了し、「ＡＲＴ」の「ＲＴ２」に移行する。なお、「所定の枚数」として、「１１７枚」を例示したが、これに限定されない。
【０１４４】
（ＡＲＴ中、ＲＴ１）
「ＲＴ１」は、「通常遊技」に用いられる抽選テーブル内におけるリプレイ当選確率と比較して、リプレイ当選確率の高い抽選テーブルで抽選が行われる遊技状態である。
「ＲＴ１」は、「ＢＢ１〜３」の終了条件の達成後、進む。
また、「ＲＴ１」において、同時に「ＡＴ」が作動した状態を「ＡＲＴ」という。
「ＲＴ１」は、終了条件の達成により終了し、「有利区間」から「通常区間」、すなわち「通常遊技」の「普通遊技」に進む。
【０１４５】
「ＲＴ１」の終了条件は、次の通りである。
（１）所定回数の遊技を消化した場合
所定回数、すなわち「ＲＴ１」の遊技状態として遊技可能な最大遊技数である、例えば「３０Ｇ」を消化した場合である。
【０１４６】
（２）「ＲＴ２移行図柄」の入賞
「ＲＴ１」中、（１）の終了条件が達成される迄の間に、「ＲＴ２移行図柄」、すなわち図５を用いて後述する「リプ４」（リプＡ・リプＢ／リプＡ・リプＢ／リプＡ・リプＢ）を入賞させると、後述する「ＲＴ２」に移行する。
【０１４７】
（ＲＴ２）
「ＲＴ２」は、「ＲＴ１」と同様で、「通常遊技」に用いられる抽選テーブル内におけるリプレイ当選確率と比較して、リプレイ当選確率の高い抽選テーブルで抽選が行われる遊技状態である。
また、「ＲＴ２」において、同時に「ＡＴ」が作動した状態を「ＡＲＴ」という。
【０１４８】
「ＲＴ２」への移行条件は、次の通りである。
（１）「ＲＴ１」からの移行
「ＲＴ２」には、「ＲＴ１」において、「ＲＴ２移行図柄」に入賞した場合に移行する。
「ＲＴ２移行図柄」には、リプレイ役の一つであり、図５に示す「リプ４」が相当し、「リプＡ・リプＢ／リプＡ・リプＢ／リプＡ・リプＢ」の図柄54の組み合わせである。
（２）「ＢＢ４、５」からの移行
「ＲＴ２」には、「ＢＢ４、５」において、終了条件の達成後、移行する。
【０１４９】
「ＲＴ２」は、終了条件の達成により終了し、「有利区間」から「通常区間」、すなわち「通常遊技」の「普通遊技」に進む。
「ＲＴ２」の終了条件は、次の通りである。
（１）役名「ＢＥ３」、「ＢＥ４」の表示
（２）「ＢＢ１〜ＢＢ５」の当選
【０１５０】
（図５及び図６を用いた図柄54の組み合わせの説明）
図５及び図６を用いて、各種の役に対応する図柄54の組み合わせの一例について説明する。
各種の役としては、次の通りである。
なお、次の（１）〜（９）については後述する。
（１）ＢＢ１〜５
（２）Ｒ１１、Ｒ１２
（３）ＳＢ
（４）リプ１〜６
（５）ベル１〜５
（６）補助１〜３
（７）チェリー１〜４
（８）スイカ１〜３
（９）ＪＡＣ１〜３
なお、各種の役は、上記した（１）〜（９）に限定されない。
【０１５１】
（ＢＢ１〜５）
役名「ＢＢ１〜５」に入賞すると、図４に示すように、「通常遊技」から「有利区間」の対応する「ＢＢ１〜ＢＢ５」の遊技状態に移行する。
役名「ＢＢ１」に対応する図柄54は、図５に示すように、図１に示す有効ライン55上に、左リール53aにおいて図２に示す「白７Ａ」、中リール53bにおいて「白７Ａ」、右リール53cにおいて「白７Ａ」の図柄54の組み合わせが停止表示された場合である。役名「ＢＢ１」に入賞すると、「ＢＢ１」の遊技状態に移行する。
【０１５２】
役名「ＢＢ２」に対応する図柄54は、「白７Ｂ／白７Ａ／白７Ｂ」の図柄54の組み合わせである。役名「ＢＢ２」に入賞すると、「ＢＢ２」の遊技状態に移行する。
役名「ＢＢ３」に対応する図柄54は、「キャラ／キャラ／キャラ」の図柄54の組み合わせである。役名「ＢＢ３」に入賞すると、「ＢＢ３」の遊技状態に移行する。
【０１５３】
（Ｒ１１、Ｒ１２）
役名「Ｒ１１」、「Ｒ１２」に入賞すると、「ＢＢ１〜５」の「一般遊技」から「ＲＢ１」に移行する。役名「Ｒ１１」と、「Ｒ１２」とは、「Ｒ１２」が示唆抽選手段285の示唆抽選の契機となる「第三の条件」を構成する点で相違する。
役名「Ｒ１１」に対応する図柄54は、図５に示すように、「リプＡ／ベル／ベル」の図柄54の組み合わせである。
役名「Ｒ１２」に対応する図柄54は、「ＢＡＲ／ベル／ベル」の図柄54の組み合わせである。
【０１５４】
（ＳＢ）
「ＳＢ」に対応する図柄54は、「白７Ａ／ベル／スイカＢ」の図柄54の組み合わせである。  
【０１５５】
（リプ１〜６）
役名「リプ１〜６」に入賞すると、「再遊技」（リプレイ）となり、メダルの払い出しはないものの、次回の遊技において遊技者所有のメダルを使用することなく、賭け数が自動的に設定され、遊技を行うことができる。
役名「リプ１」に対応する図柄54は、図５に示すように、「ベル／リプＡ・リプＢ／ベル」の図柄54の組み合わせである。
役名「リプ２」に対応する図柄54は、「ベル／白７Ａ・キャラ・チェリー／白７Ａ・ＢＡＲ・スイカＡ・チェリー」の図柄54の組み合わせである。
【０１５６】
役名「リプ３」に対応する図柄54は、「白７Ａ・スイカＢ／リプＡ・リプＢ／白７Ａ・ＢＡＲ・スイカＡ・チェリー」の図柄54の組み合わせである。
役名「リプ４」に対応する図柄54は、「リプＡ・リプＢ／リプＡ・リプＢ／リプＡ・リプＢ」の図柄54の組み合わせである。「リプＡ・リプＢ／リプＡ・リプＢ／リプＡ・リプＢ」の図柄54の組み合わせは、「ＲＴ２移行図柄」でもあり、当該図柄54の組み合わせが「ＲＴ１」において停止表示され、入賞すると、「ＲＴ１」から「ＲＴ２」に移行する。
【０１５７】
役名「リプ５」に対応する図柄54は、「ＢＡＲ／リプＡ・リプＢ／リプＡ・リプＢ」の図柄54の組み合わせである。
役名「リプ６」に対応する図柄54は、「白７Ａ／リプＡ・リプＢ／リプＡ・リプＢ」の図柄54の組み合わせである。
【０１５８】
（ベル１〜５）
役名「ベル１〜５」に入賞すると、図５に示すように、所定枚数、例えば１３枚又は３枚のメダルの払い出しが実行される。
役名「ベル１」に対応する図柄54は、「白７Ｂ・キャラ・ＢＡＲ・スイカＡ／ベル／リプＡ・リプＢ」の図柄54の組み合わせである。
役名「ベル２」に対応する図柄54は、「リプＡ・リプＢ／ベル／リプＡ・リプＢ」の図柄54の組み合わせである。
【０１５９】
役名「ベル３」に対応する図柄54は、「ベル／ベル／ベル」の図柄54の組み合わせである。
役名「ベル４」に対応する図柄54は、「スイカＡ／リプＡ・リプＢ／リプＡ・リプＢ」の図柄54の組み合わせである。
役名「ベル５」に対応する図柄54は、「リプＡ・リプＢ／ＢＡＲ・チェリー／スイカＡ・スイカＢ」の図柄54の組み合わせである。
【０１６０】
（補助１〜３）
役名「補助１〜３」に入賞すると、図６に示すように、所定枚数、例えば１枚のメダルの払い出しが実行される。
役名「補助１」に対応する図柄54は、「白７Ｂ・スイカＢ・チェリー／ベル／ベル」の図柄54の組み合わせである。
【０１６１】
役名「補助２」に対応する図柄54は、「ベル／ベル／白７Ａ・白７Ｂ・チェリー」の図柄54の組み合わせである。
役名「補助３」に対応する図柄54は、「スイカＡ・スイカＢ／ＢＡＲ／スイカＢ」の図柄54の組み合わせである。
【０１６２】
（チェリー１〜４）
役名「チェリー」に入賞すると、図６に示すように、所定枚数、例えば４枚又は２枚のメダルの払い出しが実行される。
役名「チェリー１」に対応する図柄54は、「キャラ／チェリー／スイカＢ」の図柄54の組み合わせである。
【０１６３】
役名「チェリー２」に対応する図柄54は、「キャラ／白７Ａ・スイカＡ／リプＢ」の図柄54の組み合わせである。
役名「チェリー３」に対応する図柄54は、「キャラ／チェリー／ベル・リプＡ・リプＢ」の図柄54の組み合わせである。
役名「チェリー４」に対応する図柄54は、「キャラ／白７Ａ・スイカＡ・リプＡ／ベル」の図柄54の組み合わせである。
【０１６４】
（スイカ１〜３）
役名「スイカ１〜３」に入賞すると、図６に示すように、所定枚数、例えば１０枚のメダルの払い出しが実行される。
役名「スイカ１」に対応する図柄54は、「スイカＡ・スイカＢ／スイカＡ・スイカＢ／スイカＡ・スイカＢ」の図柄54の組み合わせである。
役名「スイカ２」に対応する図柄54は、「リプＡ／スイカＡ・スイカＢ／白７Ｂ・キャラ・リプＡ・チェリー」の図柄54の組み合わせである。
役名「スイカ３」に対応する図柄54は、「ＢＡＲ／スイカＡ・スイカＢ／ベル」の図柄54の組み合わせである。
【０１６５】
（ＪＡＣ１〜３）
役名「ＪＡＣ１〜３」は、「ＲＢ１」中において入賞し、図６に示すように、所定枚数、例えば１０枚のメダルの払い出しが実行される。
役名「ＪＡＣ１」に対応する図柄54は、「白７Ｂ／白７Ａ／リプＡ・リプＢ・スイカＡ」の図柄54の組み合わせである。
役名「ＪＡＣ２」に対応する図柄54は、「リプＢ／白７Ａ／リプＡ・リプＢ・スイカＡ・スイカＢ」の図柄54の組み合わせである。
役名「ＪＡＣ３」に対応する図柄54は、「白７Ａ／白７Ａ・チェリー・スイカＡ／白７Ｂ・リプＡ・リプＢ」の図柄54の組み合わせである。
【０１６６】
（図７を用いた遊技の流れの説明）
図７を用い、遊技の流れについてフローチャートを用いて説明する。
まず、ステップS10に進み、「遊技開始処理」を実行する。「遊技開始処理」は、図３に示す遊技制御手段100のメイン制御手段200により実行される。なお、「遊技開始処理」については、図９を用いて後述する。
【０１６７】
「遊技開始処理」後、スタートスイッチ34の操作を契機として、ステップS10から次のステップS11に進む。ステップS11においては、「内部抽選処理」が実行される。「内部抽選処理」は、各種の抽選、主として役抽選が実行され、図３に示すメイン制御手段200の役抽選手段220により実行される。
【０１６８】
「内部抽選処理」後、ステップS11から次のステップS12に進む。ステップS12においては、「リール停止処理」が実行される。「リール停止処理」においては、各ストップスイッチ35が操作されたときの対応する回転リール53の回転を停止させる。「リール停止処理」は、図３に示すメイン制御手段200のリール制御手段230により実行される。
【０１６９】
「リール停止処理」後、回転リール53が全て停止したことを契機として、ステップS12から次のステップS13に進む。ステップS13においては、「有利区間チェック処理」が実行される。「有利区間チェック処理」については、図１０を用いて後述するが、主として有利区間に関わり、図３に示すメイン制御手段200の有利区間制御手段270により実行される。
「有利区間チェック処理」後、ステップS13から次のステップS14に進む。ステップS14は、「ＲＴ移行処理」に関わり、図４に示す「ＲＴ１〜ＲＴ３」間の移行が実行される。「ＲＴ移行処理」については、図３に示すメイン制御手段200の通常区間制御手段260又は有利区間制御手段270により実行される。なお、「ＲＴ１〜ＲＴ３」間の移行が必要の無い場合には、次のステップS15に進む。
【０１７０】
「ＲＴ移行処理」後、ステップS14から次のステップS15に進む。ステップS15は、「遊技終了処理」で、図１４を用いて後述するが、主として有利区間に関わり、図３に示すメイン制御手段200の有利区間制御手段270により実行される。なお、図示しないが、「遊技終了処理」においては、図３に示すメイン制御手段200の遊技結果判定手段240により、遊技結果が判定され、その判定結果に応じ、払出制御手段250により、メダル払い出し等の処理が実行され、１回の遊技が終了する。
【０１７１】
（図８を用いたパラメータの説明）
図８を用いて、図９以降のフローチャートに用いるパラメータについて説明する。
「パラメータ」は、大別すると、次の種類がある。
（１）有利区間状態フラグ
「有利区間状態フラグ」は、図４に示す「通常区間」と「有利区間」との別を表す指標である。有利区間状態フラグは、初期値が「０」であり、範囲が「０〜２」である。
「０」は「通常区間」、「１」は「待機区間」、「２」は「有利区間」をそれぞれ意味する。「待機区間」は、「通常区間」において、役名「ＢＢ１〜ＢＢ５」に当選し、当該役に入賞する迄の区間を意味する。
【０１７２】
（２）リミットカウンタ
「リミットカウンタ」は、図４に示す「有利区間」のゲーム数（以下、「Ｇ数」ともいう。）を意味する。リミットカウンタは、初期値が「０」であり、範囲が「０〜１５００」である。リミットカウンタは、図３に示すメイン制御手段200のリミッタ手段280に設けられている。
【０１７３】
（３）有利区間状態フラグ
「有利区間状態フラグ」は、図４に示す「ＢＢ１〜ＢＢ５」の別を表す指標である。有利区間状態フラグは、初期値が「０」であり、範囲が「０〜３」である。
「０」は「ＢＢ１〜ＢＢ５」以外であり、「１」は「ＢＢ１」、「ＢＢ２」又、「ＢＢ２」であり、「２」は「ＢＢ５」であり、「３」は「ＢＢ４」（設定差なし）をそれぞれ意味する。
【０１７４】
（４）ＲＢ中ナビ状態フラグ
「ＲＢ中ナビ状態フラグ」は、「ナビ」の有無を意味する。ＲＢ中ナビ状態フラグは、初期値が「０」であり、範囲が「０〜１」である。
「０」は図４に示す「ＲＢ」中、「ナビなし」であり、「１」は「ＲＢ」中、「ナビあり」をそれぞれ意味する。
【０１７５】
（５）有利区間残遊技数カウンタ
「有利区間残遊技数カウンタ」は、図４に示す「ＡＲＴ」の残遊技数を意味する。有利区間残遊技数カウンタは、初期値が「０」であり、範囲が「０〜６５５３５」である。有利区間残遊技数カウンタは、図３に示すメイン制御手段200の有利区間制御手段270に設けられている。
【０１７６】
（図９を用い、図７に示す遊技開始処理の説明）
図９を用い、図７に示す「遊技開始処理」S10について説明する。
まず、ステップS20に進み、「各作動処理」を実行する。「各作動処理」は、図３に示すメイン制御手段200の有利区間制御手段270により実行される。なお、「各作動処理」の詳細については省略する。
【０１７７】
「各作動処理」後、ステップS20から次のステップS21に進み、「ＲＢ１図柄作動」が判定される。「ＲＢ１図柄作動」は、図４に示す「ＲＢ１中」か否かを判定するためである。判定は、有利区間制御手段270により実行される。
判定の結果、「ＲＢ１図柄作動」でない場合には、ステップS21から次のステップS22に進む。ステップS22においては、「有利区間状態フラグ＝１」が判定される。「有利区間状態フラグ＝１」の場合には、図８に示すように、「待機区間」にある。判定は、メイン制御手段200により実行される。
【０１７８】
判定の結果、「有利区間状態フラグ＝１」でない場合、すなわち「有利区間状態フラグ＝０」の場合には、図８に示すように、「通常区間」、或いは「有利区間状態フラグ＝２」の場合には、「有利区間」にあり、当該フローチャートを終了し、図９に示すステップS22から、図７に示す「内部抽選処理」に進む。
【０１７９】
一方、先に説明したステップS21において、「ＲＢ１図柄作動」である場合、すなわち図４に示す「ＲＢ１中」の場合には、分岐し、ステップS23に進む。ステップS23においては、「有利区間状態フラグ＝２」が判定される。「有利区間状態フラグ＝２」の場合には、図８に示すように、「有利区間」にある。判定は、メイン制御手段200により実行される。
判定の結果、「有利区間状態フラグ＝２」でない場合、すなわち「有利区間状態フラグ＝０」の場合には、図８に示すように、「通常区間」、或いは「有利区間状態フラグ＝１」の場合には、「待機区間」にあり、当該フローチャートを終了する。
【０１８０】
これに対し、ステップS23において、「有利区間状態フラグ＝２」の場合、「有利区間」の場合には、分岐し、ステップS24に進む。ステップS24において、「Ｒ１２図柄表示」が判定される。「Ｒ１２図柄」は、図５に示す役名「Ｒ１２」に相当し、「ＢＡＲ／ベル／ベル」の図柄54の組み合わせである。判定は、有利区間制御手段270により実行される。
【０１８１】
判定の結果、「Ｒ１２図柄表示」の場合には、ステップS24からステップS25に進み。ステップS25においては、「ＲＢ中ナビ状態フラグ」が「ＯＮ」となる。すなわち、「ＲＢ中ナビ状態フラグ」が、初期値の「０」から「１」に変化し、「ＲＢ１中ナビあり」となる。「ＲＢ中ナビ状態フラグ」の処理は、有利区間制御手段270により実行される。
「ＲＢ中ナビ状態フラグ」の処理後、当該フローチャートを終了する。
これに対し、ステップS24において、「Ｒ１２図柄表示」でない場合には、当該フローチャートを終了する。
【０１８２】
一方、先に説明したステップS22においては、判定の結果、「有利区間状態フラグ＝１」、すなわち「待機区間」の場合には、分岐し、ステップS26に進む。ステップS26において、「ＢＢ１〜５フラグ間」が判定される。「ＢＢ１〜５フラグ間」の判定は、図８に示すように、「有利区間状態フラグ」により判断され、当該「有利区間状態フラグ＝１〜３」の場合には、「ＢＢ１〜５フラグ間」と判定される。判定は、有利区間制御手段270により実行される。
【０１８３】
判定の結果、ステップS26において、「ＢＢ１〜５フラグ間」の場合には、当該フローチャートを終了する。
これに対し、ステップS26において、「ＢＢ１〜５フラグ間」でない場合、分岐し、ステップS27に進む。ステップS27においては、「有利区間状態フラグ」に、「２」、すなわち「有利区間」にセットされる。「有利区間状態フラグ」のセットは、メイン制御手段200により実行される。
ステップS27において、「有利区間状態フラグ」のセット後、当該フローチャートを終了する。
【０１８４】
（図１０を用い、図７に示す有利区間チェック処理の説明）
図１０を用いて、図７に示す「有利区間チェック処理」S13について説明する。
まず、ステップS30に進み、「有利区間状態フラグ＝２」が判定される。「有利区間状態フラグ＝２」の場合には、図８に示すように、「有利区間」にある。判定は、メイン制御手段200により実行される。
【０１８５】
判定の結果、「有利区間状態フラグ＝２」でない場合、すなわち「有利区間状態フラグ＝０」の場合には、図８に示すように、「通常区間」、或いは「有利区間状態フラグ＝１」の場合には、「待機区間」にあり、ステップS30から次のステップS31に進む。ステップS31においては、「ＢＢ１〜５  当該遊技当選」が判定される。判定は、有利区間制御手段270により実行される。
【０１８６】
判定の結果、「ＢＢ１〜５  当該遊技当選」でない場合には、ステップS31から次のステップS32に進む。ステップS32においては、「ＢＢ１〜５  内部中」が判定される。判定は、有利区間制御手段270により実行される。
【０１８７】
判定の結果、「ＢＢ１〜５  内部中」でない場合には、ステップS32から次のステップS33に進む。ステップS33においては、「ＢＢ１〜５  作動図柄表示」が判定される。判定は、有利区間制御手段270により実行される。
判定の結果、「ＢＢ１〜５  作動図柄表示」でない場合には、ステップS33から次のステップS34に進む。ステップS34においては、「ＢＢ１〜５  作動中」が判定される。判定は、有利区間制御手段270により実行される。
判定の結果、「ＢＢ１〜５  作動中」でない場合には、ステップS34から、図１１を用いて後述するステップS40に進む。
【０１８８】
一方、先に説明したステップS30において、判定の結果、「有利区間状態フラグ＝２」の場合、すなわち、図８に示すように、「有利区間」にある場合には、ステップS35に進む。ステップS35においては、「リミットカウンタ  ＋１」を実行する。処理は、有利区間制御手段270により実行される。
処理後、ステップS35から次のステップS36に進む。ステップS36においては、「リミットカウンタ＝１５００」、すなわち「リミットカウンタ」が「１５００Ｇ」に到達したかが判定される。判定は、有利区間制御手段270により実行される。
判定の結果、「リミットカウンタ＝１５００」の場合には、ステップS36から、図１２を用いて後述するステップS50に進む。
【０１８９】
これに対し、「リミットカウンタ＝１５００」でない場合、すなわち「リミットカウンタ」が「１５００Ｇ」に未到達の場合には、ステップS36から、先に説明したステップS31に進む。
つづいて、ステップS31について説明すると、判定の結果、「ＢＢ１〜５  当該遊技当選」の場合には、図１２を用いて後述するステップS50に進む。
一方、先に説明したステップS32〜S34において、判定の結果、「ＹＥＳ」の場合には、当該フローチャートを全て終了する。
【０１９０】
（図１１を用い、図１０に続くフローチャートの説明）
図１１を用いて、図１０に続くフローチャートについて説明する。
まず、ステップS40に進み、「有利区間残遊技数カウンタ＝０」が判定される。判定は、有利区間制御手段270により実行される。
判定の結果、「有利区間残遊技数カウンタ＝０」の場合には、ステップS40から次のステップS41に進む。ステップS41において、「ＢＢ１〜５  当該遊技当選」が判定される。判定は、有利区間制御手段270により実行される。
【０１９１】
判定の結果、「ＢＢ１〜５  当該遊技当選」の場合には、ステップS41から次のステップS42に進む。ステップS42において、「有利区間状態フラグ＝０」が判定される。「有利区間残遊技数カウンタ＝０」は、図８に示すように、「通常区間」である。判定は、メイン制御手段200により実行される。
【０１９２】
判定の結果、「有利区間状態フラグ＝０」、「通常区間」である場合には、ステップS42から次のステップS43に進む。ステップS43において、「ＳＢ作動中」が判定される。判定は、メイン制御手段200により実行される。
判定の結果、「ＳＢ作動中」の場合には、ステップS43から、図１０に進み、当該フローチャートを終了する。
【０１９３】
一方、先に説明したステップS40において、「有利区間残遊技数カウンタ＝０」でない場合には、分岐し、ステップS44に進み、「有利区間残遊技数カウンタ  −１」を実行する。処理は、有利区間制御手段270により実行される。
処理の実行後、ステップS44から次のステップS45に進み、「有利区間残遊技数カウンタ  減算済み設定」を実行する。処理は、有利区間制御手段270により実行される。
処理の実行後、ステップS45から、先に説明したステップS41に進む。
つづいて、ステップS41について説明すると、判定の結果、「ＢＢ１〜５  当該遊技当選」の場合には、図１３を用いた後述するステップS60に進む。
【０１９４】
一方、先に説明したステップS42において、判定の結果、「有利区間状態フラグ＝０」でない場合、すなわち「有利区間状態フラグ＝１」の場合には、図８に示すように、「待機区間」、或いは「有利区間状態フラグ＝２」の場合には、「有利区間」にあり、分岐し、ステップS46に進む。ステップS46においては、「有利区間情報遷移」の処理を実行する。処理は、有利区間制御手段270により実行される。処理の実行後、図１０に進み、当該フローチャートを終了する。
また、先に説明したステップS43において、判定の結果、「ＳＢ作動中」でない場合には、分岐し、先に説明したステップS46に進み、「有利区間情報遷移」の処理後、図１０に進み、当該フローチャートを終了する。
【０１９５】
（図１２を用い、図１０に続く他のフローチャートの説明）
図１２を用いて、図１０に続く他のフローチャートについて説明する。
まず、先に図１０を用いて説明したステップS36において、判定の結果、「リミットカウンタ＝１５００」である場合、すなわち「リミットカウンタ」が「１５００Ｇ」に到達した場合には、図１２に示すステップS50に進む。ステップS50においては、「有利区間関連ＲＡＭ  クリア」を実行する。「有利区間関連ＲＡＭ」は、図３に示すメイン制御手段200を構成するメイン制御基板に搭載された「ＲＡＭ」の一部から構成され、処理は有利区間制御手段270により実行される。
【０１９６】
処理の終了後、ステップS50から次のステップS51に進み、「ＢＢ１〜５  当該遊技当選」が判定される。判定は、有利区間制御手段270により実行される。
判定の結果、「ＢＢ１〜５  当該遊技当選」でない場合には、ステップS51から次のステップS52に進む。ステップS52において、「ＢＢ１〜５  内部中」が判定される。判定は、有利区間制御手段270により実行される。
【０１９７】
判定の結果、「ＢＢ１〜５  内部中」でない場合には、ステップS52から次のステップS53に進む。ステップS53において、「ＢＢ１〜５作動図柄表示」が判定される。判定は、有利区間制御手段270により実行される。
判定の結果、「ＢＢ１〜５作動図柄表示」でない場合には、ステップS53から次のステップS54に進む。ステップS54において、「ＢＢ１〜５作動中」が判定される。判定は、有利区間制御手段270により実行される。
【０１９８】
判定の結果、「ＢＢ１〜５作動中」でない場合には、ステップS54から次のステップS55に進む。ステップS55において、「リミッタ到達時  ウエイト処理」が実行される。判定は、有利区間制御手段270により実行される。
処理の実行後、ステップS55から、図１０に進み、当該フローチャートを終了する。
一方、先に説明したステップS54〜S54において、「ＹＥＳ」の場合には、図１０に全て進み、当該フローチャートを終了する。
【０１９９】
（図１３を用い、図１２に続くフローチャートの説明）
図１３を用いて、図１２に続くフローチャートについて説明する。
まず、先に図１１を用いて説明したステップS41において、判定の結果、「ＢＢ１〜５  当該遊技当選」でない場合には、図１３に示すステップS60に進む。ステップS60においては、「ＲＴ１→ＲＴ２遷移」が判定される。判定は、有利区間制御手段270により実行される。
【０２００】
判定の結果、「ＲＴ１→ＲＴ２遷移」の場合には、ステップS60から次のステップS61に進む。ステップS61においては、「ＲＴ１中のＲＴ２移行時の再セット」が実行される。処理は、有利区間制御手段270により実行される。
処理の実行後、図１０に進み、当該フローチャートを終了する。
【０２０１】
一方、先に説明したステップS60において、「ＲＴ１→ＲＴ２遷移」でない場合には、分岐し、ステップS62に進む。ステップS62においては、「有利区間残遊技数カウンタ  減算済み」が判定される。判定は、有利区間制御手段270により実行される。
判定の結果、「有利区間残遊技数カウンタ  減算済み」でない場合には、ステップS62から、図１０に進み、当該フローチャートを終了する。
【０２０２】
これに対し、「有利区間残遊技数カウンタ  減算済み」の場合には、分岐し、ステップS63に進む。ステップS63においては、「有利区間残遊技数カウンタ＝０」が判定される。判定は、有利区間制御手段270により実行される。
判定の結果、「有利区間残遊技数カウンタ＝０」でない場合には、ステップS63から、図１０に進み、当該フローチャートを終了する。
これに対し、「有利区間残遊技数カウンタ＝０」の場合には、ステップS63から、図１２を用いて先に説明したステップS50進む。
【０２０３】
（図１４を用い、図７に示す遊技終了処理の説明）
図１４を用いて、図７に示す「遊技終了処理」S15について説明する。
まず、ステップS70に進み、「ボーナス終了処理」が実行される。処理は、有利区間制御手段270により実行される。
処理の終了後、ステップS70から次のステップS71に進み、「有利区間状態フラグ＝２」が判定される。「有利区間状態フラグ＝２」の場合には、図８に示すように、「有利区間」にある。判定は、メイン制御手段200により実行される。
【０２０４】
判定の結果、「有利区間状態フラグ＝２」の場合、すなわち、「有利区間」の場合には、ステップS71から次のステップS72に進む。ステップS72においては、「ＢＢ４  終了」が判定される。判定は、有利区間制御手段270により実行される。
判定の結果、「ＢＢ４  終了」の場合には、ステップS72から次のステップS73に進む。ステップS73においては、「ＡＲＴ遊技数カウンタ  加算抽選」が実行される。「ＡＲＴ遊技数カウンタ  加算抽選」は、「ＡＲＴ処理フラグ」により抽選され、「１」の場合には「３０」Ｇ加算され、「２」の場合には「７０」Ｇ加算される。「ＡＲＴ遊技数カウンタ」は、有利区間制御手段270に設けられ、初期値は「０」Ｇとなっている。判定も有利区間制御手段270により実行される。
【０２０５】
加算抽選の実行後、ステップS73から次のステップS74に進み、「ＡＲＴ処理フラグ  クリア（０）」が実行される。処理は、有利区間制御手段270により実行される。
処理の実行後、ステップS74から次のステップS75に進み、「有利区間残遊技数カウンタ＝０」が判定される。判定は、有利区間制御手段270により実行される。
【０２０６】
判定の結果、「有利区間残遊技数カウンタ＝０」でない場合には、ステップS75から次のステップS76に進む。ステップS76においては、「ウエイト時間あり」が判定される。判定は、有利区間制御手段270により実行される。
判定の結果、「ウエイト時間あり」の場合には、ステップS76から次のステップS77に進む。ステップS77においては、「ボーナス終了時  有利区間移行ウエイト処理」が実行される。処理は、有利区間制御手段270により実行される。
処理の実行後、当該フローチャートを終了する。
【０２０７】
一方、先に説明したステップS71において、判定の結果、「有利区間状態フラグ＝２」でない場合、すなわち「有利区間状態フラグ＝０」の場合には、図８に示すように、「通常区間」、或いは「有利区間状態フラグ＝１」の場合には、「待機区間」にあり、ステップS71から分岐し、先に説明したステップS76に進み、「ウエイト時間あり」が判定される。
【０２０８】
また、先に説明したステップS72においては、判定の結果、「ＢＢ４  終了」でない場合には、分岐し、ステップS78に進む。ステップS78においては、「ＡＲＴ遊技数カウンタ  セット」が実行される。処理は、有利区間制御手段270により実行される。
処理の実行後、ステップS78から、先に説明したステップS74に進み、「ＡＲＴ処理フラグ  クリア（０）」が実行される。
【０２０９】
さらに、先に説明したステップS75において、判定の結果、「有利区間残遊技数カウンタ＝０」の場合には、ステップS79に進む。ステップS79においては、「有利区間関連ＲＡＭ  クリア」が実行される。「有利区間関連ＲＡＭ」は、先に図１２のステップS50において説明した通りであり、処理は有利区間制御手段270により実行される。
【０２１０】
処理の実行後、ステップS79から、先に説明したステップS76に進み、「ウエイト時間あり」が判定される。
つづいて、ステップS76について説明すると、判定の結果、「ウエイト時間あり」でない場合、すなわち「ウエイト時間」が無い場合には、当該フローチャートを終了する。
【０２１１】
（図１５を用いた設定示唆抽選テーブルの説明）
図１５を用いて、「設定示唆抽選テーブル」について説明する。
設定示唆抽選は、図３に示すメイン制御手段200の示唆抽選手段285により実行される。
【０２１２】
設定示唆抽選の条件は、次の通りである。
（１）前提条件
「前提条件」は、図３に示すリミッタ手段280の作動後を条件とする。
ここで、「リミッタ手段280の作動後」としては、図４に示す「有利区間」（例えば役物の作動時）が相当する。
また、「有利区間」としては、役物の作動時、例えば「ＢＢ」が相当するが、これに限定されず、「ＡＲＴ」を含めてもよい。
【０２１３】
なお、「リミッタ手段280の作動後」として、「有利区間」を例示したが、これに限定されず、「通常区間」（例えば役物の未作動時）でもよい。
また、「リミッタ手段280の作動後」は、図９〜図１４を用いて説明したフローチャート上、図９に示すステップS36において判定され、判定の結果、「ＹＥＳ」の場合には前提条件を満足する。
【０２１４】
（２）第一の条件
「第一の条件」は、予め設定された役に当選したことを条件とする。
ここで、「予め設定された役」としては、例えば図４に示すように、「ＢＢ」中の一般遊技状態（一般遊技）において、ボーナス状態（「ＲＢ」中）への「移行役」（「ＲＢ１」、図５参照）が相当する。
なお、「予め設定された役」として、「移行役」を例示したが、これに限定されない。
【０２１５】
（３）第二の条件
「第二の条件」としては、複数のストップスイッチ35が予め設定された操作順番で操作されたことを条件とする。
ここで、「複数のストップスイッチ35が予め設定された操作順番で操作されたこと」としては、例えば図１に示す「左ストップスイッチ」35aが、３個のストップスイッチ35において、第一番目に操作されないことで、すなわち、第二番目に操作された場合や、最後に操作された場合が相当する。
【０２１６】
なお、「複数のストップスイッチ35が予め設定された操作順番で操作されたこと」として、左ストップスイッチ35aが第一番目に操作されない場合を例示したが、これに限定されず、第一番目に操作されたこと、第二番目に操作されたこと、最後に操作されたことを条件としてもよいし、或いはいわゆる「順押し」や「逆押し」を条件としてもよい。
【０２１７】
（４）第三の条件
「第三の条件」としては、予め設定された図柄54が停止表示されたことを条件とする。
ここで、「予め設定された図柄54」としては、図５に示すように、役名「Ｒ１２」であり、「ＢＡＲ／ベル／ベル」の図柄54の組み合わせが相当する。第三の条件としては、当該図柄54の組み合わせが、図１に示す有効ライン(55)上に、停止表示され、入賞した場合が相当する。
【０２１８】
「ＢＡＲ／ベル／ベル」は、「Ｒ１２図柄」であり、図９〜図１４を用いて説明したフローチャート上、図９に示すステップS24において判定され、判定の結果、「ＹＥＳ」の場合には第三の条件を満足する。
【０２１９】
一方、上述した前提条件を初め、第一〜第三の条件の全てを満足した場合には、第三停止を契機として、図３に示す示唆抽選手段285により、図１５に示す設定示唆抽選テーブルを用いて、設定示唆抽選が実行される。
すなわち、同図において、「設定」が「発生」であり、「設定１、２、３」は「２０４８／６５５３６」の当選確率が等しく設定されているのに対し、「設定６」の場合には「１０２４０／６５５３６」のように、当選確率が高く設定されている。
なお、第一〜第三の条件を全て満足していない場合には、「設定」が「非発生」であり、「設定１、２、３」は「６３４８８／６５５３６」の当選確率が等しく設定されているのに対し、「設定６」の場合には「５５２９６／６５５３６」のように、当選確率が低く設定されている。
【０２２０】
また、第一〜第三の条件の全てを満足した場合に限り、設定示唆抽選を実行したが、これに限定されず、第一〜第三の条件のうち、例えば一つだけの条件を満足した場合でもよいし、又、２つの条件を満足した場合としてもよいし、或いは第一〜第三の条件に他の条件を付加してもよい。
【０２２１】
設定示唆抽選テーブルを用いて、設定示唆抽選に当選した場合には、第三停止後、演出装置80を用いた遊技者に対する設定示唆が実行される。
演出装置80を用いた遊技者への示唆としては、回転リール52の回転後の停止音、例えば「左停止音」を変化させる。
ここで、「演出装置80」としては、図１及び図３に示すように、「スピーカ24,42」が相当する。
【０２２２】
具体的には、設定示唆抽選に当選した場合には、「左停止音」を発生させ、外れた場合には、「無音」としている。
このため、遊技者は、「左停止音」を発生した場合には、「設定６」であることを予測可能である。「無音」の場合には、「設定６」でなく、「設定１、２、３」のいずれかであることを予測可能である。
【０２２３】
なお、「停止音」として、「左停止音」、すなわち図１に示す「左リール52a」の停止音を例示したが、これに限定されず、例えば最後に停止した回転リール52が、「中リール52b」や「右リール52c」の場合には、「中停止音」又は「右停止音」でもよい。
また、「演出装置80」として「スピーカ24,42」を用いて「音」を発生させたが、これに限定されず、「演出装置80」として、例えば「ナビゲーション表示装置60」、「ランプ21〜23」でもよいし、或いは図示しないが液晶表示装置などを用いて、視覚的に示唆してもよい。
【０２２４】
（図１６を用い、図３に示す演出頻度調整テーブル370の説明）
図１６を用いて、図３に示す演出頻度調整テーブル370の一例について説明する。演出頻度調整テーブル370の基準値として、「払出枚数」を用いたものである。
「Ｇ数」は、予め設定されたゲーム数より構成される「所定ゲーム区間」内におけるゲーム数を意味し、図３に示すゲーム数カウント手段350によりカウントされたカウント値と照合される。具体的には、「Ｇ数」は、「１〜５０」Ｇ迄が表示されている。
【０２２５】
「払出枚数」は、「所定ゲーム区間」（５０Ｇ）内におけるメダル（遊技媒体）の払出数量であり、図３に示す払出数量カウント手段360によりカウントされたカウント値と照合される。「払出枚数」は、最大値が表示され、払出数量カウント手段(360)によりカウントされた払出数量に基づいて決定される「基準値」に相当する。
「払出枚数」は、設定値毎に設定され、「設定１」、「設定２」、「設定５」、「設定６」の４種類に分類されている。
【０２２６】
「設定差」は、説明用のものであり、演出頻度調整テーブル370とは無関係なものである。「設定差」は、設定値毎に設定された「払出枚数」（基準値）において、「払出枚数」に差がある場合に、丸印を表示している。「設定差」は、設定値毎、ここでは「設定５」及び「設定６」の２種類に分類されている。
【０２２７】
つぎに、「払出枚数」（基準値）の数値について説明する。
「１」〜「５０」Ｇ中、「２２〜２４」Ｇ及び「４２〜４７」Ｇを除く、「１〜２１」Ｇ、「２５〜４１」Ｇ及び「４８」〜「５０」Ｇについては、「設定１」、「設定２」、「設定５」、「設定６」の４種類の各「払出枚数」が等しく設定されている。
【０２２８】
「２２〜２４」Ｇ中、「２２」Ｇでは、「設定１」及び「設定２」の場合、「２３」枚、「設定５」及び「設定６」の場合、「２４」枚に等しく設定されている。
例えば、「設定５」及び「設定６」の場合には、「２２」Ｇにおいて、「払出枚数」の「実数値」が、「２４」枚未満の場合には、条件を満足し、設定示唆に関わる予告音による演出が実行される可能性が高い。
【０２２９】
仮に、図３に示す演出頻度調整手段380において、予告音による演出に当選したと判断された場合には、演出実行手段340により、設定示唆に関わる予告音による演出が実行される。すなわち、「２２」Ｇ」の終了後、次ゲーム（２３Ｇ）の開始時に、スタートスイッチ34を操作した場合に、「予告音」が発生する。
【０２３０】
遊技者は、次回のゲーム、すなわち「２３」Ｇの開始時に、「予告音」を聞いた場合には、「設定５」又は「設定６」のいずれかである可能性が高いことを予想できる。
ただし、「２２」Ｇにおいて、「払出枚数」の「実数値」が、「２４」枚を超えている場合にも、「予告音」が発生する可能性がある。このため、「予告音」が１回、発生しただけで、「設定５」又は「設定６」と判断するのは危険である。
【０２３１】
しかし、図１７を用いて後述するように、「２２」Ｇにおいて、「払出枚数」の「実数値」が、「２４」枚を未満の場合には、「第１テーブル」を用い、「２４」枚を超えている場合に、「第２テーブル」を用い、「第１テーブル」における「予告音」による演出の当選確率を、「第２テーブル」と比較し、高確率に設定している。このことから、「予告音」が複数回、発生した場合には、「設定５」又は「設定６」である確率が高くなる。
【０２３２】
「２２〜２４」Ｇ中、「２３」Ｇでは、「設定１」、「設定２」及び「設定３」の場合、「２４」枚に等しく設定され、「設定６」の場合、「２５」枚に設定されている。「２４」Ｇでは、同様に、「設定１」、「設定２」及び「設定３」の場合、「２５」枚に等しく設定され、「設定６」の場合、「２６」枚に設定されている。
例えば、「設定６」の場合には、「２３」Ｇにおいて、「払出枚数」の「実数値」が、「２５」枚未満の場合には、条件を満足し、設定示唆に関わる予告音による演出が実行される可能性が高い。同様に、「２４」Ｇにおいて、「払出枚数」の「実数値」が、「２６」枚未満の場合には、条件を満足し、設定示唆に関わる予告音による演出が実行される可能性が高い。
【０２３３】
遊技者は、次回のゲームにおいて、「予告音」を聞いた場合には、「設定６」である可能性が高いことを予想できる。
また、「２３」Ｇの開始時に、「予告音」を聞いた場合には、「設定５」又は「設定６」である可能性が高いことを予想し、続いて、「２４」Ｇの開始時に、「予告音」を聞いた場合には、「設定５」又は「設定６」のうち、「設定６」である可能性が高いことを予測できる。
【０２３４】
「４２〜４７」Ｇ中、「４２」Ｇでは、「設定１」及び「設定２」の場合、「４２」枚、「設定５」及び「設定６」の場合、「４３」枚に等しく設定されている。「４３」Ｇでは、同様に、「設定１」及び「設定２」の場合、「４３」枚、「設定５」及び「設定６」の場合、「４４」枚に等しく設定されている。「４４」Ｇでは、同様に、「設定１」及び「設定２」の場合、「４４」枚、「設定５」及び「設定６」の場合、「４５」枚に等しく設定されている。
【０２３５】
例えば、「設定５」及び「設定６」の場合には、「４２」Ｇにおいて、「払出枚数」の「実数値」が、「４３」枚未満の場合には、条件を満足し、設定示唆に関わる予告音による演出が実行される可能性が高い。同様に、「４３」Ｇにおいて、「払出枚数」の「実数値」が、「４４」枚未満の場合には、条件を満足し、設定示唆に関わる予告音による演出が実行される可能性が高い。同様に、「４４」Ｇにおいて、「払出枚数」の「実数値」が、「４５」枚未満の場合には、条件を満足し、設定示唆に関わる予告音による演出が実行される可能性が高い。
遊技者は、次回のゲームにおいて、「予告音」を聞いた場合には、「設定５」又は「設定６」である可能性が高いことを予想できる。
【０２３６】
「４２〜４７」Ｇ中、「４５」Ｇでは、「設定１」及び「設定２」の場合、「４５」枚に等しく設定され、「設定６」の場合、「４６」枚に設定されている。「４６」Ｇでは、同様に、「設定１」及び「設定２」の場合、「４６」枚に等しく設定され、「設定６」の場合、「４７」枚に設定されている。「４７」Ｇでは、同様に、「設定１」及び「設定２」の場合、「４７」枚に等しく設定され、「設定６」の場合、「４８」枚に設定されている。
【０２３７】
例えば、「設定６」の場合には、「４５」Ｇにおいて、「払出枚数」の「実数値」が、「４６」枚未満の場合には、条件を満足し、設定示唆に関わる予告音による演出が実行される可能性が高い。同様に、「４６」Ｇにおいて、「払出枚数」の「実数値」が、「４７」枚未満の場合には、条件を満足し、設定示唆に関わる予告音による演出が実行される可能性が高い。同様に、「４７」Ｇにおいて、「払出枚数」の「実数値」が、「４８」枚未満の場合には、条件を満足し、設定示唆に関わる予告音による演出が実行される可能性が高い。
遊技者は、次回のゲームにおいて、「予告音」を聞いた場合には、「設定６」である可能性が高いことを予想できる。
【０２３８】
一方、「１」〜「９」Ｇについては、全て「０」枚に設定されている。
「１０」〜「１６」Ｇについては、全て「１」枚に設定されている。
「１６」Ｇについては、全て「１８」枚に設定されている。
「１７〜４１」Ｇの場合は、少なくとも「設定１」及び「設定２」について、「１８」枚に「１」ずつ加算した数値（＋１）、例えば「１７」Ｇの場合、「１９」枚（１８＋１）、「１８」Ｇの場合、「２０」枚（１９＋１）、「４１」Ｇの場合、「４２」枚（４１＋１）に設定されている。
残る「４２〜５０」Ｇの場合は、少なくとも「設定１」及び「設定２」について、「ゲーム数」と「払出枚数」に等しく設定されている。
【０２３９】
（図１７を用い、図３に示す第１、第２テーブル371,372の説明）
図１７を用いて、図３に示す第１テーブル371、第２テーブル372について説明する。
第１テーブル371、第２テーブル372は、図３に示すように、演出頻度調整テーブル370に含まれる。
【０２４０】
第１テーブル371は、図１７の上段に位置し、「払出枚数」の「実数値」が、図１６において、「払出枚数」（基準値）未満の場合に用いられ、後述する第２テーブル372と比較し、設定示唆に関わる予告音による演出が発生する頻度を高確率に設定されている。
第２テーブル372は、図１７の下段に位置し、「払出枚数」の「実数値」が、図１６において、「払出枚数」（基準値）以上の場合に用いられ、第１テーブル371と比較し、設定示唆に関わる予告音による演出が発生する頻度を低確率に設定されている。
【０２４１】
第１テーブル３７１は、「予告音」の「無し」、「あり」の２種類に分類されている。
第１テーブル371は、現在の遊技状態に加え、図３に示す役抽選手段220による役抽選の結果に対応し、１８種類に分類されている。「出現率」は、説明用のものであり、第１テーブル371とは無関係なものである。
【０２４２】
遊技状態及び役抽選の結果は、（ａ）「はずれ」、（ｂ）「リプレイ」、（ｃ）「共通ベル」、（ｄ）「押し順ベル」、（ｅ）「チェリー」、（ｆ）「スイカ」、（ｇ）「ＢＢ１」、（ｈ）「ＢＢ２」、（ｉ）「ＢＢ３」、（ｊ）「ＢＢ４」、（ｋ）「ＢＢ５」、（ｌ）「ＢＢ１＋リーチ目Ａ」、（ｍ）「ＢＢ１＋リーチ目Ｂ」、（ｎ）「ＢＢ１＋上段ベル」、（ｏ）「ＢＢ２＋リーチ目Ｃ」、（ｐ）「ＢＢ３＋リーチ目Ｃ」、（ｑ）「ＢＢ４＋リーチ目Ｃ」、（ｒ）「ＢＢ５＋リーチ目Ｃ」の１８種類がある。そのほか、（ｓ）「出現率」がある。
【０２４３】
「予告音」の「無し」の場合の各出現率は、（ａ）「はずれ」の場合「１／１．５」、（ｂ）「リプレイ」の場合「１／９．７」、（ｃ）「共通ベル」の場合「１／４２１．１」、（ｄ）「押し順ベル」の場合「１／１２．２」、（ｅ）「チェリー」の場合「１／１３０．３」、（ｆ）「スイカ」の場合「１／２５６．０」、（ｇ）「ＢＢ１」の場合「１／１２１９４．４」、（ｈ）「ＢＢ２」の場合「１／３２５１．８」、（ｉ）「ＢＢ３」の場合「１／１９５１１．０」、（ｊ）「ＢＢ４」の場合「１／２４３８８．８」、（ｋ）「ＢＢ５」の場合「１／３０５２．１」、（ｌ）「ＢＢ１＋リーチ目Ａ」の場合「１／４８７７７．６」、（ｍ）「ＢＢ１＋リーチ目Ｂ」の場合「１／３９３０１．０」、（ｎ）「ＢＢ１＋上段ベル」の場合「１／１４２９９．４」、（ｏ）「ＢＢ２＋リーチ目Ｃ」の場合「１／５９５８．１」、（ｐ）「ＢＢ３＋リーチ目Ｃ」の場合「１／５９５８．１」、（ｑ）「ＢＢ４＋リーチ目Ｃ」の場合「１／５９５８．１」、（ｒ）「ＢＢ５＋リーチ目Ｃ」の場合「１／５９５８．１」に設定されている。また、（ｓ）「出現率」の場合「１／１．１」に設定されている。
【０２４４】
「予告音」の「あり」の場合の各出現率は、（ａ）「はずれ」の場合「１／２４０．８」、（ｂ）「リプレイ」の場合「１／２９．２」、（ｃ）「共通ベル」の場合「１／９８．７」、（ｄ）「押し順ベル」の場合「１／２９．４」、（ｅ）「チェリー」の場合「１／４１．９」、（ｆ）「スイカ」の場合「１／２８４．４」、（ｇ）「ＢＢ１」の場合「１／１１１０３．４」、（ｈ）「ＢＢ２」の場合「１／２９６０．９」、（ｉ）「ＢＢ３」の場合「１／１７７６５．４」、（ｊ）「ＢＢ４」の場合「１／２２２０６．８」、（ｋ）「ＢＢ５」の場合「１／１６１５．５」、（ｌ）「ＢＢ１＋リーチ目Ａ」の場合「１／４５３２０．９」、（ｍ）「ＢＢ１＋リーチ目Ｂ」の場合「１／３１０５９．０」、（ｎ）「ＢＢ１＋上段ベル」の場合「１／３０１６５．５」、（ｏ）「ＢＢ２＋リーチ目Ｃ」の場合「１／１４６６６．６」、（ｐ）「ＢＢ３＋リーチ目Ｃ」の場合「１／６１１１．１」、（ｑ）「ＢＢ４＋リーチ目Ｃ」の場合「１／６１１１．１」、（ｒ）「ＢＢ５＋リーチ目Ｃ」の場合「１／６１１１．１」に設定されている。また、（ｓ）「出現率」の場合「１／８．９」に設定されている。
【０２４５】
また、第２テーブル372は、図１７の下段に位置し、第１テーブル371と同様に、１８種類に分類されている。第２テーブル372は、第１テーブル371と比較し、「予告音」の「あり」の場合の「（ｓ）『出現率』が低確率に設定されている。
「予告音」の「無し」の場合の各出現率は、（ａ）「はずれ」の場合「１／１．５」、（ｂ）「リプレイ」の場合「１／７．９」、（ｃ）「共通ベル」の場合「１／４２１．１」、（ｄ）「押し順ベル」の場合「１／１０．３」、（ｅ）「チェリー」の場合「１／１３０．３」、（ｆ）「スイカ」の場合「１／２５６．０」、（ｇ）「ＢＢ１」の場合「１／１２１９４．４」、（ｈ）「ＢＢ２」の場合「１／３２５１．８」、（ｉ）「ＢＢ３」の場合「１／１９５１１．０」、（ｊ）「ＢＢ４」の場合「１／２４３８８．８」、（ｋ）「ＢＢ５」の場合「１／３０５２．１」、（ｌ）「ＢＢ１＋リーチ目Ａ」の場合「１／４３５９３．１」、（ｍ）「ＢＢ１＋リーチ目Ｂ」の場合「１／４８７７７．６」、（ｎ）「ＢＢ１＋上段ベル」の場合「１／３９３０１．０」、（ｏ）「ＢＢ２＋リーチ目Ｃ」の場合「１／１４２９９．４」、（ｐ）「ＢＢ３＋リーチ目Ｃ」の場合「１／５９５８．１」、（ｑ）「ＢＢ４＋リーチ目Ｃ」の場合「１／５９５８．１」、（ｒ）「ＢＢ５＋リーチ目Ｃ」の場合「１／５９５８．１」に設定されている。また、（ｓ）「出現率」の場合「１／１．１」に設定されている。
【０２４６】
「予告音」の「あり」の場合の各出現率は、（ａ）「はずれ」の場合「１／２４０．８」、（ｂ）「リプレイ」の場合「１／１００．０」、（ｃ）「共通ベル」の場合「１／９８．６」、（ｄ）「押し順ベル」の場合「１／５１．８」、（ｅ）「チェリー」の場合「１／４１．３」、（ｆ）「スイカ」の場合「１／２８５．５」、（ｇ）「ＢＢ１」の場合「１／１１１０３．４」、（ｈ）「ＢＢ２」の場合「１／２９６０．９」、（ｉ）「ＢＢ３」の場合「１／１７７６５．４」、（ｊ）「ＢＢ４」の場合「１／２２２０６．８」、（ｋ）「ＢＢ５」の場合「１／１６１５．５」、（ｌ）「ＢＢ１＋リーチ目Ａ」の場合「１／４５３２０．９」、（ｍ）「ＢＢ１＋リーチ目Ｂ」の場合「１／３１０５９．０」、（ｎ）「ＢＢ１＋上段ベル」の場合「１／３０１６５．５」、（ｏ）「ＢＢ２＋リーチ目Ｃ」の場合「１／１４６６６．６」、（ｐ）「ＢＢ３＋リーチ目Ｃ」の場合「１／６１１１．１」、（ｑ）「ＢＢ４＋リーチ目Ｃ」の場合「１／６１１１．１」、（ｒ）「ＢＢ５＋リーチ目Ｃ」の場合「１／６１１１．１」に設定されている。また、（ｓ）「出現率」の場合「１／１３．７」に設定されている。
【０２４７】
（図１８及び図１９を用いたフローチャートの説明）
図１８及び図１９を用い、予告音演出決定抽選を説明するためのフローチャートについて説明する。
予告音演出決定抽選は、図３に示す「サブ制御手段300」側の「演出実行手段340」、主として「演出頻度調整手段380」により実行される。
【０２４８】
まず、図１８に示すステップS80に進み、「通常遊技か」、すなわち図４の「通常遊技」の「普通遊技」が判定される。判定は、図３に示す「メイン制御手段200」の「送信制御手段290」から送信された「遊技状態」に関する情報に基づいて「サブ制御手段300」側の図３に示す「演出実行手段340」により実行される。
判定の結果、「通常遊技」（普通遊技）と判定された場合には、ステップS80から次のステップS81に進む。ステップS81においては、「５０Ｇ目か」が判定される。判定は、図３に示す「演出実行手段340」により実行される。
【０２４９】
判定の結果、「５０Ｇ目」の場合には、ステップS81から次のステップS82に進む。ステップS82においては、「Ｇ数及び払出枚数の実数値の初期化」が実行される。すなわち、図３に示す「ゲーム数カウント手段350」のゲーム数が「０Ｇ」にリセットされ、又、「払出数量カウント手段360」の払出枚数の実数値が「０Ｇ」にリセットされる。
処理の実行後、ステップS82から次のステップS83に進む。ステップS83においては、「遊技の終了」が判定される。判定は、図３に示す「演出実行手段340」により実行される。
【０２５０】
判定の結果、遊技が終了している場合には、ステップS83から次のステップS84に進む。ステップS84においては、「Ｇ数及び払出枚数の実数値の更新」が実行される。すなわち、図３に示す「ゲーム数カウント手段350」のカウント値に「１Ｇ」が加算され、又、「払出数量カウント手段360」のカウント値に払出枚数が加算される。
なお、ステップS83における判定の結果、遊技が終了していない場合には、当該ステップを繰り返す。
【０２５１】
ステップS84による更新の実行後、ステップS84から次のステップS85に進む。ステップS85においては、「次回の遊技の開始」が判定される。判定は、図３に示す「演出実行手段340」により実行される。
判定の結果、「次回の遊技の開始」の場合には、ステップS84から図１９を用いて後述するステップS90に進む。
なお、ステップS85における判定の結果、次回の遊技が開始されていない場合には、当該ステップを繰り返す。
【０２５２】
一方、先に説明したステップS80における判定の結果、「通常遊技」（普通遊技）でないと判定された場合、すなわちリミッタの作動前の場合には、当該ステップから図１９を用いて後述するフローチャートに進み、予告音演出決定抽選の処理を終了する。
また、先に説明したステップS81における判定の結果、「５０Ｇ目」でない場合、すなわち「５０Ｇ目」未満の場合には、当該ステップからステップS83に進み、「遊技の終了」が判定される。
【０２５３】
（図１９を用いたフローチャートの説明）
図１９を用い、図１８に続くフローチャートについて説明する。
図１８を用いて先に説明したステップS85の判定の結果、「次回の遊技の開始」の場合には、図１９に示すステップS90に進む。ステップS90においては、「Ｇ数及び払出枚数の実数値の読み込み」が実行される。すなわち、図３に示す「ゲーム数カウント手段350」から「ゲーム数」が、「払出数量カウント手段360」の払出枚数の実数値が読み出される。
【０２５４】
読み出し後、ステップ90からステップS91に進む。ステップS91においては、「演出頻度調整テーブル（図１６）の照合」が実行される。すなわち、照合は、図３に示す演出頻度調整手段380により実行され、読み込んだ「ゲーム数」と払出枚数の「実数値」とを、図１６に示す演出頻度調整テーブル370に照合する。
照合後、ステップ91からステップS92に進む。ステップS92においては、「実数値が基準値未満か」が判定される。判定は、図３に示す演出頻度調整手段380により実行される。
【０２５５】
判定の結果、実数値が基準値未満の場合には、ステップ92からステップS93に進む。
ここで、実数値が基準値未満の場合について例を挙げて説明すると、例えば、読み込んだゲーム数「２２Ｇ」で、実数値「２３」枚のとき、「設定５」と仮定すると、図１６に示す演出頻度調整テーブル370により、「２２Ｇ」の基準値は、「２４」枚である。
読み込んだ実数値「２３」枚であり、基準値「２４」枚未満となる。
【０２５６】
ステップS93においては、「第１テーブル（図１７）を用いた予告音決定抽選の実行」が行われる。抽選は、図３に示す演出頻度調整手段380により実行され、図３に示す「メイン制御手段200」の「送信制御手段290」から送信された「役抽選結果」に関する情報に基づき、図１７の上段に示す第１テーブル371（図３参照）を用いて実行される。抽選の結果は、本実施の形態では「予告音」の「無し」、「あり」の２択である。
【０２５７】
抽選の実行後、ステップ93からステップS94に進む。ステップS94においては、「予告音発生か」が判定される。判定は、図３に示す「演出実行手段340」により実行される。
判定の結果、予告音発生の場合、すなわちステップ93において抽選の結果、「予告音」の「あり」に当選した場合には、ステップ94からステップS95に進む。ステップS95においては、「予告音発生による指定された演出の実行」が行われる。演出は、図３に示す「演出実行手段340」により実行される。
演出の実行後、本フローチャートを終了する。
【０２５８】
一方、先に説明したステップS92の判定の結果、実数値が基準値未満でない場合、すなわち実数値が基準値以上の場合には、分岐し、ステップS96に進む。ステップS93においては、「第２テーブル（図１７）を用いた予告音決定抽選の実行」が行われる。抽選は、図３に示す演出頻度調整手段380により実行される。図１７の下段に示す第２テーブル372（図３参照）を用いて実行される。第２テーブル372は、第１テーブル371と比較し、「予告音」の「あり」に当選する確率が低確率に設定されている。
抽選の実行後、ステップS96から、先に説明したステップS94に進み、「予告音発生か」が判定される。
【０２５９】
また、先に説明したステップS94の判定の結果、予告音発生でない場合、すなわちステップ93において抽選の結果、「予告音」の「無し」に当選した場合には、分岐し、ステップS97に進む。ステップS97においては、「予告音非発生による指定された演出の実行」が行われる。演出は、図３に示す「演出実行手段340」により実行される。
演出の実行後、本フローチャートを終了する。
【０２６０】
（具体例の説明）
例えば、ゲーム数「２１Ｇ」のとき、「設定５」と仮定すると、図１６に示す演出頻度調整テーブル370により、基準値は、「２３」枚である。
このとき、払出枚数の実数値は、「２３」枚と仮定する。
次ゲーム、「２２Ｇ」目において、「スイカ」に当選した仮定すると、図６に示すように、「スイカ」に入賞すると、払い出し枚数が「１０」枚となり、実数値「２３」枚に「１０」枚が加算され、実数値が「３３」枚となる。
【０２６１】
ゲーム数「２２Ｇ」のときの基準値は「２４」枚であり、実数値「３３」は基準値「２４」枚以上となり、図１７の下段に示すように、「予告音」の「あり」に当選する確率が低確率に設定されている第２テーブル372が選択されてしまう。
このため、予告音を発生させたい場合には、「スイカ」に当選したと予測できた場合には、役を取りこぼすことで、実数値「２３」枚を増加させないようにするという選択も可能であり、戦略的な遊技の要素を取り込むことができる。
【符号の説明】
【０２６２】
10  遊技機
11  筐体                  12  前扉
20  上パネル部            21  上部ランプ
22  上パネル本体          22a  左内部ランプ
22b  中内部ランプ          22c  右内部ランプ
23  中央表示器            24  上部スピーカ
30  操作部
31  ベットスイッチ        32  演出スイッチ
33  メダル投入口          34  スタートスイッチ
35  ストップスイッチ      35a  左ストップスイッチ
35b  中ストップスイッチ    35c  右ストップスイッチ
36  精算スイッチ          37  メダルセンサー
40  下パネル部
41  下パネル本体          42  下部スピーカ
43  メダル払出口          44  メダル受け皿
50  中パネル部
51  図柄表示窓            52  リールユニット
53  回転リール            53a  左リール
53b  中リール              53c  右リール
54  図柄                  55  有効ライン
60  ナビゲーション表示装置    61  リール左下ランプ
62  リール中下ランプ          63  リール右下ランプ
70  ホッパーユニット（遊技媒体払出装置）
80  演出装置              100  遊技制御手段
200  メイン制御手段        210  設定値設定手段
220  役抽選手段            230  リール制御手段
240  遊技結果判定手段      250  払出制御手段
260  通常区間制御手段      270  有利区間制御手段
280  リミッタ手段          285  示唆抽選手段
290  送信制御手段          300  サブ制御手段
310  受信制御手段          320  通常区間演出制御手段
330  有利区間演出制御手段  331  ナビゲーション制御手段
340  演出実行手段          350  ゲーム数カウント手段
360  払出数量カウント手段  370  演出頻度調整テーブル
371  第１テーブル          372  第２テーブル
380  演出頻度調整手段
【図１】
2019118466.tif 000003
【図２】
2019118466.tif 000004
【図３】
2019118466.tif 000005
【図４】
2019118466.tif 000006
【図５】
2019118466.tif 000007
【図６】
2019118466.tif 000008
【図７】
2019118466.tif 000009
【図８】
2019118466.tif 000010
【図９】
2019118466.tif 000011
【図１０】
2019118466.tif 000012
【図１１】
2019118466.tif 000013
【図１２】
2019118466.tif 000014
【図１３】
2019118466.tif 000015
【図１４】
2019118466.tif 000016
【図１５】
2019118466.tif 000017
【図１６】
2019118466.tif 000018
【図１７】
2019118466.tif 000019
【図１８】
2019118466.tif 000020
【図１９】
2019118466.tif 000021
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
複数の図柄が個別に表示された複数の回転リールを個別に回転可能なリールユニットと、
遊技者の操作により前記複数の回転リールの回転を開始させるためのスタートスイッチと、
前記複数の回転リールの各々に対応して設けられ、遊技者の操作により回転中の前記複数の回転リールを個別に停止可能な複数のストップスイッチと、
前記複数のストップスイッチによる前記複数の回転リールの停止態様に応じ、遊技者に遊技媒体を払い出す遊技媒体払出装置と、
前記リールユニット、前記スタートスイッチ、前記複数のストップスイッチ、前記遊技媒体払出装置にそれぞれ接続され、遊技の進行を制御する遊技制御手段と、
前記遊技制御手段による遊技状態に応じて演出を実行可能な演出装置と、
前記遊技制御手段及び前記演出装置に接続され、前記遊技制御手段による遊技の進行に連動して前記演出装置を制御する演出制御手段と、
を備える遊技機において、
前記遊技制御手段には、
複数種類の役のうちから当選役を決定する役抽選手段と、
前記役抽選手段により決定された当選役、遊技の開始・終了及び前記遊技媒体払出装置により払い出された前記遊技媒体の払出数量に関する遊技情報を、前記演出制御手段に送信する送信制御手段と、
を備え、
前記演出制御手段には、
前記送信制御手段から送信された前記遊技情報にもとづいて、前記演出装置を用いて遊技者に演出を実行する演出実行手段を備え、
前記演出実行手段には、
予め設定されたゲーム数より構成される所定ゲーム区間内におけるゲーム数をカウントするゲーム数カウント手段と、
前記所定ゲーム区間内における前記払出数量をカウントする払出数量カウント手段と、
ゲーム数毎に払出枚数の基準値を、設定毎に定めた演出頻度調整テーブルと、
前記演出頻度調整テーブルを用いて、前記ゲーム数カウント手段によりカウントされるゲーム数に対応する前記基準値を読み出し、読み出した前記基準値に、前記払出数量カウント手段によりカウントされた前記払出数量に基づいて決定される実数値が達しているか否かを判断し、その判断結果により前記演出装置を用いて設定示唆に関わる演出頻度を調整する演出頻度調整手段と、
備えていることを特徴とする遊技機。
【請求項２】
前記遊技制御手段には、
遊技者の有利度合いに応じて段階的に設けられた複数段階の設定値のうちから、一つの設定値を設定可能な設定値設定手段を備え、
前記送信制御手段は、
前記設定値設定手段により設定された設定値を前記遊技情報に含めて前記演出制御手段に送信し、
前記演出頻度調整テーブルに記憶された前記基準値は、
前記設定値設定手段により設定された前記設定値に基づいて変化する、
ことを特徴とする請求項１に記載の遊技機。
【請求項３】
前記設定値に基づいて変化する前記基準値は、
前記所定ゲーム区間内において、予め設定された所定ゲーム数に限られている、
ことを特徴とする請求項２に記載の遊技機。
【請求項４】
前記演出頻度調整テーブルは、
前記役抽選手段により決定された当選役に応じて、設定値を示唆するか否かの確率を変化させている、
ことを特徴とする請求項２又は請求項３に記載の遊技機。
【請求項５】
前記演出頻度調整テーブルには、
前記演出頻度調整手段による判定結果により、前記実数値が前記基準値に達していると判定されている場合に用いられ、設定値を示唆する頻度が設定された第１テーブルと、
前記演出頻度調整手段による判定結果により、前記実数値が前記基準値に達していないと判定されている場合に用いられ、前記第１テーブルと比較し、設定値を示唆する頻度が低く設定された第２テーブルと、
を含んでいる、
ことを特徴とする請求項１〜４のいずれか１項に記載の遊技機。
【請求項６】
前記所定ゲーム数は、
前記所定ゲーム区間内に複数個、設定されている、
ことを特徴とする請求項３に記載の遊技機。
【請求項７】
前記複数個の所定ゲーム数には、
前記複数段階の設定値の段階を示唆する場合と、
前記複数段階の設定値の高低を示唆する場合と、
を含んでいる、
ことを特徴とする請求項５又は請求項６に記載の遊技機。
【請求項８】
前記払出数量カウント手段によりカウントされた前記払出数量に基づいて決定される基準値は、
遊技機内に投入された遊技媒体の投入数量と、
前記遊技媒体払出装置により払い出された前記払出数量との差数である、
ことを特徴とする請求項１〜７のいずれか１項に記載の遊技機。
【手続補正２】
【補正対象書類名】明細書
【補正対象項目名】００２７
【補正方法】変更
【補正の内容】
【００２７】
（１３）演出頻度調整テーブル(370)
演出頻度調整テーブル(370)は、例えば図１６に示すように、ゲーム数毎に払出枚数の基準値を、設定毎に定めたものである。